(57)【要約】ＩＰマルチメディアシステム（ＩＭＳ）ネットワーク（３１）における、回路交換ネットワーク（３２）の加入者であるマルチメディア加入者のユーザ端末（３４）を登録する方法およびゲートウェイユニット。正規の通信のためにユーザ端末（３４）の回路交換通信機能に関連した第１の連絡先アドレスのＩＭＳネットワーク（３１）における登録が使用され、また、メッセージングのためにユーザ端末（３４）の回路交換通信機能に関連した第２の連絡先アドレスのＩＭＳネットワーク（３１）における登録が使用される。【選択図】図１
2011526431.tif 000002
【特許請求の範囲】
【請求項１】
ＩＰマルチメディアシステム（ＩＭＳ）ネットワーク（３１）において、回路交換ネットワーク（３２）の加入者であるマルチメディア加入者のユーザ端末（３４）を登録する方法であって、
正規の通信のための前記ユーザ端末（３４）の回路交換通信機能に関連した第１の連絡先アドレスの前記ＩＭＳネットワーク（３１）における登録と、
メッセージングのための前記ユーザ端末（３４）の回路交換通信機能に関連した第２の連絡先アドレスの前記ＩＭＳネットワーク（３１）における登録と
を含む方法。
【請求項２】
登録関連データが加入者データベース（２）に記憶され、前記加入者データベース（２）は前記ＩＭＳネットワーク（３１）の一部であり、前記ＩＭＳネットワーク（３１）に実装された登録機能（３）とデータ交換を行うものである、請求項１に記載の方法。
【請求項３】
前記第１の連絡先アドレスおよび前記第２の連絡先アドレスは、それぞれ第１の特徴タグおよび第２の特徴タグに関連し、前記第１の特徴タグおよび前記第２の特徴タグも前記加入者データベース（２）に記憶される、請求項２に記載の方法。
【請求項４】
前記第１の連絡先アドレスおよび前記第２の連絡先アドレスは単一のメッセージを使用して登録される、請求項１〜３のいずれか１項に記載の方法。
【請求項５】
前記方法は、前記マルチメディア加入者からテキストメッセージを受信し、前記回路交換ネットワーク（３２）および前記ＩＭＳネットワーク（３１）の双方と通信中で、前記回路交換ネットワーク（３２）へのショートサービスメッセージセンタ（ＳＭＳＣ）として、また前記ＩＭＳネットワークへのユーザエージェント（ＵＡ）として動作中のＩＭＳメッセージゲートウェイ（ＩＭＧ）（２２；３５）へ前記テキストメッセージを転送することと、
前記ＩＭＳネットワーク（３１）における発信ＩＭＳサービスのあり得る呼び出しを含む、前記ＩＭＳメッセージを前記ＩＭＳネットワーク（３１）を通してルーティングすることと
をさらに含む、請求項１〜４のいずれか１項に記載の方法。
【請求項６】
前記ＩＭＳをルーティングすることにおいて、
前記テキストメッセージの前記宛先加入者の番号から導出されたグローバルタイトルを使用して前記ＩＭＳネットワーク（３１）におけるコールセッション制御機能（ＣＳＣＦ）（５）のアドレスを取得することと、
取得した前記アドレスに関連（５）した前記コールセッション制御機能へ前記メッセージをルーティングすることと、
前記コールセッション制御機能（５）における前記ＩＭＳメッセージを検証することと
を含む、請求項５に記載の方法。
【請求項７】
前記ＩＭＳメッセージは、前記ＩＭＳネットワークにおけるコールセッション制御機能（Ｓ−ＣＳＣＦ）（５）に登録された前記マルチメディア加入者に向かい、
前記方法は、
前記マルチメディア加入者が登録されているサービングコールセッション制御機能（Ｓ−ＣＳＣＦ）（５）と通信中のＩＭＳメッセージングアプリケーションサーバ（７）をこれに使用して、前記マルチメディア加入者がアクティブ化されたＩＭＳメッセージングクライアントを有するかどうかをチェックすることと、
アクティブ化されたＩＭＳメッセージングクライアントが登録されている場合、前記ＩＭＳネットワーク（３１）における前記ＩＭＳメッセージをさらに処理することと、
アクティブ化されたＩＭＳメッセージングクライアントが登録されていない場合、前記ＩＭＳメッセージをテキストメッセージへ変換し、前記マルチメディア加入者の端末（２０）への前記テキストメッセージの配信のために前記回路交換ネットワーク（３２）へのＳＭＳＣとして動作するＩＭＳメッセージングゲートウェイ（ＩＭＧ）（２２）へ前記ＩＭＳメッセージを転送することと
をさらに含む、請求項１〜６のいずれか１項に記載の方法。
【請求項８】
前記ＩＭＳメッセージは、前記ＩＭＳネットワーク（３１）におけるコールセッション制御機能（Ｓ−ＣＳＣＦ）（５）に登録された前記マルチメディア加入者に向かい、
前記方法は、
前記マルチメディア加入者の前記第２の連絡先アドレスであり、前記マルチメディア加入者に関連し、ＩＭＳメッセージングゲートウェイ（ＩＭＧ）（２２）に関連した連絡先アドレスを使用することと、
関連した前記ＩＭＧ（２２）へ前記ＩＭＳメッセージをルーティングすることと、
テキストメッセージに前記ＩＭＳメッセージを変換することと、
前記回路交換ネットワーク（３２）へ前記テキストメッセージをルーティングすることと
を含む、請求項１〜６のいずれか１項に記載の方法。
【請求項９】
前記回路交換ネットワークへの前記テキストメッセージのルーティングができなければ、前記方法は、前記マルチメディア加入者が登録されている前記サービングコールセッション制御機能（Ｓ−ＣＳＣＦ）（５）に登録され、ＩＭＳメッセージング機能を有する前記マルチメディア加入者の端末（２０）に関連した、前記マルチメディア加入者に関連した追加の連絡先アドレスを使用することと、前記追加の連絡先アドレスを使用して前記ＩＭＳメッセージングクライアントへ前記ＩＭＳメッセージをルーティングすることとをさらに含む、請求項８に記載の方法。
【請求項１０】
第２の連絡先アドレスおよびＩＭＳメッセージング連絡先アドレスが前記マルチメディア加入者にとって使用可能であり、前記方法は、前記第２の連絡先アドレスおよび前記ＩＭＳメッセージング連絡先アドレスの優先度設定に応じて前記ＩＭＳメッセージをルーティングすることをさらに含む、請求項８または９に記載の方法。
【請求項１１】
回路交換ネットワーク（３２）における加入者からＩＭＳネットワーク（３１）におけるＩＭＳ加入者へのテキストメッセージの配信方法であって、前記ＩＭＳ加入者は請求項１〜４のいずれか１項に記載の方法を使用して前記ＩＭＳネットワーク（３１）に登録されており、前記方法は、
前記ＩＭＳ加入者に関連した前記ＩＭＳネットワーク（３１）におけるコールセッション制御機能（５）のＩＰアドレスを取得することと、
前記テキストメッセージをＩＭＳメッセージへ変換することと、
取得した前記ＩＰアドレスを使用して前記コールセッション制御機能（５）によって前記ＩＭＳ加入者へ前記ＩＭＳメッセージをルーティングすることと
をさらに含む、方法。
【請求項１２】
前記方法は、前記ＩＭＳネットワークにおけるホーム加入者データベース（６；２４）を尋問することで、前記ＩＰアドレスを取得することをさらに含み、前記ホーム加入者データベース（６；２４）は前記宛先ＩＭＳ加入者のＭＳＩＳＤＮに関連する、請求項１１に記載の方法。
【請求項１３】
ＩＭＳ加入者から発信されたテキストメッセージを送信する方法であって、前記ＩＭＳ加入者は回路交換ネットワーク（３２）の加入者でもあり、前記ＩＭＳ加入者は請求項１〜４のいずれか１項に記載の方法を使用して前記ＩＭＳネットワーク（３１）に登録されており、前記方法は、
前記ＩＭＳネットワークにおけるコールセッション制御機能（４）へＳＩＰメッセージを送信するメッセージ相互作業ユニット（２９）へ、ＳＭＳＣアドレスを使用して前記テキストメッセージをルーティングすることと、
前記メッセージ相互作業ユニット（２９）によって前記テキストメッセージをＩＭＳメッセージに変換することと、
前記コールセッション制御機能（４）へ前記ＩＭＳメッセージルーティングすることと
をさらに含む、方法。
【請求項１４】
ＩＭＳ加入者から発信されたテキストメッセージを送信する方法であって、前記ＩＭＳ加入者は請求項１〜４のいずれか１項に記載の方法を使用して前記ＩＭＳネットワーク（３１）に登録されており、前記方法は、
前記ＩＭＳ加入者が目下ＧＳＭ加入者として登録されている前記回路交換ネットワーク（３２）において発信ＳＭＳ（ＭＯ−ＳＭＳ−ＣＳＩ）のＣＡＭＥＬ加入情報を検出すると、ＣＡＭＥＬサービスを呼び出すことと、
前記ＩＭＳネットワーク（３１）におけるコールセッション制御機能（４）へＳＩＰメッセージを送信するメッセージ相互作業ユニット（２９）への前記テキストメッセージのルーティングを、前記ＣＡＭＥＬサービスの制御下で前記メッセージ相互作業ユニット（２９）に関連したＳＭＳＣアドレスを有して行うことと、
前記メッセージ相互作業ユニット（２９）によって前記テキストメッセージをＩＭＳメッセージへ変換することと、
前記コールセッション制御機能（４）へ前記ＩＭＳメッセージをルーティングすることと
をさらに含む、方法。
【請求項１５】
ＣＡＭＥＬサービスの制御下で、前記テキストを前記回路交換ネットワーク（３２）から前記ＩＭＳネットワーク（３１）へルーティングするのに使用される前記シグナリングアドレスにパブリックサービスＩＤおよび相関識別子を含めることと、前記ＩＭＳメッセージにおいて前記パブリックサービスＩＤを検出すると、メッセージ相互作業ユニット（２９）が前記テキストメッセージをＩＭＳメッセージへ変換し、前記ＩＭＳメッセージをＩＭＳサービスプラットフォームへ転送することと、
前記ＩＭＳサービスプラットフォームは、前記ＣＡＭＥＬサービスに機能的に結合され、前記ＩＭＳメッセージにおける前記パブリックサービスＩＤおよび相関識別子を、前記回路交換ネットワーク（３２）から前記テキストメッセージを送信した際に前記ＩＭＳ加入者によって初期に示される所望の宛先で置き換えるものであり、さらに前記ＩＭＳネットワーク（３１）の前記ＩＭＳメッセージをルーティングすることと
をさらに含む、請求項１４に記載の方法。
【請求項１６】
ＩＭＳ加入者から発信されたテキストメッセージの受信または送信の方法であって、前記ＩＭＳ加入者は請求項１〜４のいずれか１項に記載の方法を使用して前記ＩＭＳネットワーク（３１）に登録されており、前記ＩＭＳ加入者からの発信テキストメッセージを受信するＭＳＣ（２１）がＳＩＰシグナリング機能を備え、前記ＩＭＳ加入者はマルチメディア加入者として前記回路交換ネットワーク（３２）に登録されており、
前記方法は、前記ＭＳＣ（２１）において前記テキストメッセージをＳＩＰメッセージへ変換することと、前記ＩＭＳ加入者に関連したサービングコールセッション制御機能（Ｓ−ＣＳＣＦ）（５）へ前記ＳＩＰメッセージを配信することとをさらに含む、方法。
【請求項１７】
処理システムを備え、回路交換ネットワーク（３２）およびＩＰマルチメディアシステム（ＩＭＳ）ネットワーク（３１）と通信するゲートウェイユニットであって、前記処理システムは、さらに、前記回路交換ネットワーク（３２）の加入者であるマルチメディア加入者のユーザ端末（３４）を登録し、前記ＩＭＳネットワーク（３１）では、正規の通信のためには前記ユーザ端末（３４）の回路交換通信機能に関連した第１の連絡先アドレスの前記ＩＭＳネットワーク（３１）における登録を使用し、メッセージングのためには前記ユーザ端末（３４）の回路交換通信機能に関連した第２の連絡先アドレスの前記ＩＭＳネットワーク（３１）における登録を使用する、ゲートウェイユニット。
【請求項１８】
前記ゲートウェイユニット（３５）は、さらに、請求項２〜１６のいずれか１項に記載の方法を実行する、請求項１７に記載のゲートウェイユニット。
【請求項１９】
前記処理システムは、前記回路交換ネットワーク（３２）、前記ＩＭＳネットワーク（３１）、または前記回路交換ネットワーク（３２）と前記ＩＭＳネットワーク（３１）との組合せに含まれた１または２以上のネットワークユニットにおける処理リソースを使用する分散型処理システムである、請求項１７または１８に記載のゲートウェイユニット。
【請求項２０】
処理システムにロードされると請求項１〜１６の方法請求項のいずれか１項の前記機能を有する前記処理システムを提供するコンピュータ実行可能命令を含むコンピュータプログラムプロダクト。
【発明の詳細な説明】
【技術分野】
【０００１】
本発明は、移動電話用途におけるマルチアクセスメッセージングに関し、より具体的にはインターネットプロトコルマルチメディアシステム（IMS：Internet  Protocol  Multimedia  System）ネットワークにおける用途に関する。
【背景技術】
【０００２】
様々な用途において移動電話ネットワークとＩＭＳネットワークとを組み合わせることはすでに可能である。例えば、移動電話ネットワークに属するＧＳＭ加入者が、ＩＭＳネットワークに関する基本サービス、補足サービス、付加価値サービスを取得できる。ここで、ＧＳＭ加入者は、ＧＳＭネットワークにおいて当該加入者に使用されるパブリック識別子に関する連絡先アドレスによってＩＭＳネットワークに登録される。ＧＳＭ加入者がＧＳＭ端末を使用してショートメッセージサービスの送受信ができるが、ＩＭＳネットワークに関する基本サービス、補足サービス、付加価値サービスも受けられるようにするには、別々の特別なメッセージングアプリケーションサーバがＩＭＳネットワークに必要である。
【発明の概要】
【発明が解決しようとする課題】
【０００３】
本発明は、基本サービス、補足サービス、付加価値サービスを受けるためにＩＭＳネットワークを使用して、ＧＳＭやＵＭＴＳなどの回路交換移動電話ネットワーク（以下、「回路交換移動電話ネットワーク」を「移動電話ネットワーク」という）に接続した加入者に対するメッセージング関連サービスの提供を図る。
【課題を解決するための手段】
【０００４】
本発明によれば、ＩＰマルチメディアシステム（ＩＭＳ）ネットワークにおける、移動電話ネットワークの加入者であるマルチメディア加入者のユーザ端末を登録する方法が提供される。当該方法は、正規の通信（すなわち回路交換（ＣＳ）ボイスであるが、回路交換ファクシミリまたはビデオ電話通信もあり得る）のためのユーザ端末の回路交換通信機能に関連した第１の連絡先アドレスのＩＭＳネットワークにおける登録と、メッセージのためのユーザ端末の回路交換通信機能に関連した第２の連絡先アドレスのＩＭＳネットワークにおける登録を含む。この端末は、ＩＭＳモードを含むマルチモード端末としてもよい。上記連絡先アドレスは、具体的にその端末のＣＳ通信部分に関連する。マルチメディア加入者をこのように登録することで、ＣＳネットワークで共通の正規のやり方でマルチメディア加入者がテキストメッセージを使用する（すなわち送受信する）ことが可能である。メッセージング目的は、ＧＳＭシステムにおけるＳＭＳおよびＭＭＳなどのテキストメッセージと、非テキストメッセージ（例えばリングトーンやユーザ端末構成ファイルなど）とを包含すると理解される。さらに、マルチメディア加入者がこれらのメッセージに対して基本サービス、補足サービス、付加価値サービスを受けることが可能である。上記基本サービス、補足サービス、付加価値サービスはＩＭＳネットワークにおいて応用される。マルチメディア加入者をこのように登録することで、加入者は、端末機能およびアクセスネットワーク機能に応じて、テキストメッセージをＣＳネットワークで共通するやり方で使用することに加え、ＩＭＳネットワークで共通するやり方でテキストメッセージを使用できる。ＩＭＳネットワーク関連サービスの使用は、透過的なやり方で、すなわちユーザが実際にはＩＭＳネットワークを使用していると気づかないように可能である。
【０００５】
さらなる実施形態では、登録関連データは加入者データベースに（おそらくは永続的に）記憶され、加入者データベースは、ＩＭＳネットワークの一部であり（またはＩＭＳネットワークに関連しており）、ＩＭＳネットワークに実装される（またはＩＭＳネットワークに関連した）登録機能とデータを交換するものとされる。典型的には、加入者データベースは、双方向でデータ交換が可能な加入者プロビジョニングシステムからのデータでプロビジョンされる。加入者データベースおよび登録機能は、ＩＭＳネットワークにおける既存のネットワークユニットまたは専用ネットワークユニットにおいて簡単に実装できる。
【０００６】
また、さらなる実施形態では、第１の連絡先アドレスおよび第２の連絡先アドレスは、それぞれ第１の特徴タグおよび第２の特徴タグに関連する。第１および第２の特徴タグも加入者データベースに記憶される（永続的に）。これらのデータ、すなわち上記連絡先アドレスおよび関連する特徴タグは、移動電話ネットワークおよびＩＭＳネットワークにおける様々な機能エンティティが容易に使用可能であり、連絡先アドレスの一義的な使用を可能とする。
【０００７】
さらなる実施形態では、第１の連絡先アドレスおよび第２の連絡先アドレスは、登録機能からＩＭＳネットワークにおけるコールセッション制御機能（ＣＳＣＦ）への、例えばＳＩＰ登録要求などの単一のメッセージを使用して登録される。登録機能からＣＳＣＦへのＳＩＰ登録要求メッセージの送信は、加入者プロビジョニングシステムからの刺激によって、または登録機能内部の刺激によって発動できる。ＳＩＰ登録要求メッセージの送信は、加入者データベースと登録機能との間のデータ交換に先行されるものとしてもよい。
【０００８】
また、さらなる実施形態における方法は、マルチメディア加入者から（例えば移動交換センタ（ＭＳＣ）を経由して）テキストメッセージを受信することと、ＩＭＳメッセージゲートウェイ（ＩＭＧ）へテキストメッセージを転送することとを含む。ＩＭＧは、回路交換ネットワーク（例えば回路交換ネットワークにおけるＭＳＣと）およびＩＭＳネットワーク（例えばＩＭＳネットワークにおけるサービングＣＳＣＦまたは尋問ＣＳＣＦと）の双方と通信中であり、とりわけ、ＳＳ７  ＳＭＣアドレスとアドレス可能であることにより、回路交換ネットワークに対してショートメッセージサービスセンタ（ＳＭＳＣ）として動作する。また、ＩＭＳネットワークに対してユーザエージェント（ＵＡ）として動作し、ＩＰアドレスとアドレス可能である。さらに、当該方法は、テキストメッセージをＩＭＳメッセージへ変換すること（ＩＭＳによって）と、ＩＭＳネットワークを通してＩＭＳメッセージをルーティングすることとを含む。ＩＭＳネットワークにおける発信ＩＭＳサービスのあり得る呼び出しを含む。これによって、ＧＳＭネットワークにおいて生成されたＳＭＳなどの、マルチメディア加入者の発信テキストメッセージを、ＩＭＳネットワークにおける正規の発信ＩＭＳメッセージとして扱うことが可能になる。このメッセージ送信に対して、とりわけ、応用可能であれば補足サービスの呼び出しを含み、応用可能であれば付加価値サービスも含む。
【０００９】
さらなる実施形態では、ＩＭＳメッセージをルーティングすることは、テキストメッセージの宛先加入者番号から導出されたグローバルタイトル（例えばＳＳ７で使用されるような）を使用してＩＭＳネットワークにおけるサービングコールセッション制御機能（Ｓ−ＣＳＣＦ）のアドレスを取得することと（例えば上記グローバルタイトルを使用して加入者データベースにクエリを行い、応じてコールセッション制御機能のアドレスを受信することで）と、取得したアドレスに関連したコールセッション制御機能へメッセージをルーティングすることと、コールセッション制御機能においてＩＭＳメッセージを検証することとを含む。この実施形態は、ＩＭＳネットワークがサービスドメインとして選択される終了ＳＭＳルーティングに関する。これによって、ＧＳＭネットワークにおいて生成された、マルチメディア加入者に向かうＳＭＳなどの終了テキストメッセージを、ＩＭＳネットワークにおいて正規の終了ＩＭＳメッセージとして扱うことができる。このメッセージ送信に対して、とりわけ、応用可能であれば補足サービスの呼び出しを含み、応用可能であれば付加価値サービスも含む。
【００１０】
ＩＭＳメッセージは、マルチメディア加入者の端末への配信に向けることができる。ＩＭＳメッセージは、マルチメディア加入者が登録されているサービングコールセッション制御機能（Ｓ−ＣＳＣＦ）によって処理された。上記処理は補足サービスの呼び出しを選択的に含み、付加価値サービスの呼び出しを選択的に含む。この場合、さらなる実施形態では、当該方法は、マルチメディア加入者がアクティブ化されたＩＭＳメッセージングクライアントを有するかどうかをチェックすることと、マルチメディア加入者が登録されているサービングコールセッション制御機能（Ｓ−ＣＳＣＦ）と通信中のＩＭＳメッセージングアプリケーションサーバをこれに使用することとをさらに含む。アクティブ化されたＩＭＳメッセージングクライアントが登録されている場合（ＩＭＳメッセージアプリケーションがＳ−ＣＳＣＦから第三者登録通知を受信することによってＩＭＳメッセージングアプリケーションに知られていてもよい）、ＩＭＳメッセージはＩＭＳネットワークにおいて処理される（Ｓ−ＣＳＣＦに登録された連絡先アドレスへのＩＭＳメッセージの転送を含む。上記連絡先アドレスはＩＭＳメッセージングクライアントとの結合を構成する）。アクティブ化されたＩＭＳメッセージングクライアントが登録されていない場合、当該方法は、ＩＭＳメッセージングゲートウェイ（ＩＭＧ）へＩＭＳメッセージを転送する（ＩＭＳメッセージングアプリケーションからの命令のもとで）ことを含む。ＩＭＧは、ＩＭＳメッセージをテキストメッセージへ変換し、上記マルチメディア加入者の端末（上記端末は回路交換ネットワークにある）へのテキストメッセージの配信のために回路交換ネットワークに対してＳＭＳＣ（またはより厳密なＳＭＳ−ＧＭＳＣ）として動作する。この実施形態は、アプリケーションサーバを使用した終了アクセス配信に関する。
【００１１】
一代替実施形態（アプリケーションサーバよりも連絡先アドレスを使用する）では、ＩＭＳメッセージは、マルチメディア加入者に再び向けられる。ＩＭＳメッセージは、マルチメディア加入者が登録されているサービングコールセッション制御機能（Ｓ−ＣＳＣＦ）によって処理された。上記処理は、選択的に補足サービスの呼び出しを含み、選択的に付加価値サービスの呼び出しを含む。当該方法は、マルチメディア加入者に関連した連絡先アドレスを使用すること（例えばＳ−ＣＳＣＦに登録された連絡先アドレスを使用すること）をさらに含む。連絡先アドレスは、マルチメディア加入者の第２の連絡先アドレスである。上記第２の連絡先アドレスは、ＩＭＳメッセージングゲートウェイＩＭＧに関連する。また、関連ＩＭＧへＩＭＳメッセージをルーティングすることと、ＩＭＳメッセージをテキストメッセージに変換することと、回路交換ネットワークへテキストメッセージをルーティングする（回路交換ネットワークに対してＳＭＳ−ＧＭＳＣとして動作するＩＭＧによって）こととを含む。この場合、メッセージのルーティングは、特にメッセージングのために登録された第２の連絡先アドレスを使用して行われる。
【００１２】
テキストメッセージの宛先加入者であるマルチメディア加入者の回路交換端末へテキストメッセージを配信するための、回路変換ネットワークへのテキストメッセージのルーティングができなければ、さらなる実施形態における方法は、マルチメディア加入者に関連した追加の連絡先アドレスを使用することを含む。上記追加の連絡先アドレス（以後ＩＭＳメッセージング連絡先アドレスという）は、マルチメディア加入者（このテキストメッセージの宛先加入者である）が登録されているサービングコールセッション制御機能（Ｓ−ＣＳＣＦ）に登録されている。上記追加の連絡先アドレスは、上記マルチメディア加入者の端末に関連する。上記端末は、ＩＭＳメッセージング機能を有している（すなわちＩＭＳメッセージングクライアントを有している）。また、ＩＭＳメッセージングクライアントへＩＭＳメッセージをルーティングすることと、上記追加の連絡先アドレスを使用することとを含む。これによって、テキストメッセージの形式でのメッセージの初期配信ができなかった場合に代替が可能となる。
【００１３】
さらなる実施形態では、第２の連絡先アドレスおよびＩＭＳメッセージング連絡先アドレスをマルチメディア加入者に使用可能であり、当該方法は、第２の連絡先アドレスおよびＩＭＳメッセージング連絡先アドレスの優先度設定に応じてＩＭＳメッセージをルーティングすることをさらに含む。これによって、マルチメディア加入者が完全に柔軟に着信メッセージを回路交換ネットワークにおける端末へテキストメッセージの形式で配信させることができるようになる。または、ＩＭＳネットワークにおける端末へマルチメディアメッセージの形式で配信させることができるようになる。
【００１４】
本発明は、回路交換ネットワークにおける加入者からＩＭＳネットワークにおけるＩＭＳ加入者へのテキストメッセージの配信方法にさらに関する。ＩＭＳ加入者は、上述の実施形態のいずれか１つに係る方法を使用してＩＭＳネットワークに登録されている。この実施形態については、宛先ＩＭＳ加入者に特別必要なことはない。それは正規のＩＭＳとすることができる。当該方法は、ＩＭＳ加入者に関連したＩＭＳネットワークにおけるコールセッション制御機能のＩＰアドレスを取得すること（上記コールセッション制御機能のドメインネームを取得することに選択的に先行される）と、テキストメッセージをＩＭＳメッセージへ変換することと、取得したＩＰアドレスを使用してＩＭＳ加入者へコールセッション制御機能を経由してＩＭＳメッセージをルーティングすることとをさらに含む。これらの機能は、例えばメッセージ送信する加入者に関連した回路交換ネットワークにおけるＳＭＳＣに実装することができる。この実施形態は、具体的には、ＧＳＭからＩＭＳへの終了メッセージルーティングに関するものとすることができる。送信加入者はマルチメディア加入者とする必要はない。
【００１５】
さらなる実施形態では、当該方法は、ＳＭＳＣによって回路交換ネットワークにおけるホーム加入者データベース尋問することによってＩＰアドレスを取得すること（および選択的にドメインネームを取得すること）を含む。上記ホーム加入者データベースは、宛先ＩＭＳ加入者のＭＳＩＳＤＮに関連する。ホーム加入者データベースへ尋問メッセージをルーティングすることをタスクとされたシグナリング中継機能（ＳＲＦ）が、内部または外部のデータベースルックアップによって、サービスの視点から移動電話ネットワークの加入者とは逆に、サービスの視点から宛先加入者がＩＭＳネットワークの加入者であると判定する。結果として、シグナリング中継機能は、回路交換ネットワークにおけるホーム位置レジスタ（ＨＬＲ）へ尋問メッセージを転送する代わりに、ＩＭＳネットワークにおけるホーム加入者システム（ＨＳＳ）へ尋問メッセージを転送する。ＨＳＳおよびＨＬＲ双方はホーム加入者データベースの役割を果たすものである。ホーム加入者システムへ送信された尋問メッセージは、ＨＳＳ尋問に応用可能なメッセージフォーマットに適合される。ＨＳＳは、尋問メッセージを受信すると、ＩＭＳ加入者に関連したＩＭＳネットワークにおけるコールセッション制御機能のドメインネームを返信する。ＳＲＦは、ＩＭＳネットワークにおけるコールセッション制御機能のドメインネームを含む結果メッセージをＳＭＳＣへ転送すると、移動電話ネットワークに応用可能なメッセージフォーマットに上記リターンメッセージを適合する。ＳＭＳＣは、ＩＭＳネットワークにおけるコールセッション制御機能のドメインネームを含む結果メッセージを受信すると、上記ドメインネームを使用して、上記コールセッション制御機能に関連したＩＰアドレスを取得できる。ＳＭＳＣは、最終的に、テキストメッセージをＩＭＳメッセージに変換させた後、ＩＭＳネットワークにおけるコールセッション制御機能へテキストメッセージを配信できる。これらの実施形態によって、テキストメッセージが回路交換ネットワークから発信される場合、およびテキストメッセージがＩＭＳネットワークから到着する場合に、透過的なやり方でＩＭＳ加入者のＩＭＳネットワークへテキストメッセージをルーティングすることができるようになる。これによって、ＩＭＳ加入者が回路交換ネットワーク加入者からテキストメッセージ（ＳＭＳ）を受信することができるようになる。ＳＭＳＣからコールセッション制御機能へのテキストメッセージの転送は、ＳＭＳＣによって、またはメッセージングゲートウェイの支援のもと、自動的に行うことができる。
【００１６】
さらに、本発明は、ＩＭＳ加入者から発信されたテキストメッセージを送信する方法に関する。上記ＩＭＳ加入者は回路交換ネットワークの加入者でもある。ＩＭＳ加入者は、上述の登録方法のいずれか１つに係る方法を使用してＩＭＳネットワークに登録されている。当該方法は、ＳＭＳＣアドレスを使用してメッセージ相互作業ユニットへテキストメッセージをルーティングすることをさらに含む。メッセージ相互作業ユニットは、ＩＭＳネットワークにおけるコールセッション制御機能へＳＩＰメッセージを送信するものとされる。メッセージ相互作業ユニットによってテキストメッセージをＩＭＳメッセージに変換することと、コールセッション制御機能へＩＭＳメッセージをルーティングすることとを含む。ＳＭＳＣアドレスはＩＭＳ加入者にプロビジョンされる。またはＩＭＳ加入者が目下ＧＳＭ加入者として登録されている回路交換ネットワークにおけるＭＳＣに構成される。この実施形態によって、テキストメッセージをＩＭＳメッセージにルーティングするために回路交換ネットワークにおけるＣＡＭＥＬサービスなどの特定の機能を使用することなく、ＩＭＳネットワークにおける発信テキストメッセージの透過的処理ができるようになる。発信テキストメッセージの透過的処理は、ＩＭＳ加入者のユーザプロファイルに基づいて、補足サービスの選択的な呼び出しと付加価値サービスの選択的な呼び出しとを含む。
【００１７】
一代替実施形態では、ＩＭＳ加入者から発信されたテキストメッセージを送信する方法が提供される。上記ＩＭＳ加入者は、回路交換ネットワークの加入者でもある。ＩＭＳ加入者は、上述の登録実施形態の１つに係る方法を使用してＩＭＳネットワークに登録されている。当該方法は、ＩＭＳ加入者が目下ＧＳＭ加入者として登録されている回路交換ネットワークにおけるＭＳＣにおいて発信ＳＭＳ（ＭＯ−ＳＭＳ−ＣＳＩ）に対するＣＡＭＥＬ加入情報を検出すると、ＣＡＭＥＬサービス（例えば移動電話ネットワークのＳＣＰにおける）を呼び出すことと、ＣＡＭＥＬサービスの制御下のメッセージ相互作業ユニットへテキストメッセージをルーティングすることとをさらに含む。上記ルーティングは、メッセージ相互作業ユニットに関するＳＭＳＣアドレスで行われる。メッセージ相互作業ユニットは、ＩＭＳネットワークにおけるコールセッション制御機能へＳＩＰメッセージを送信するものとされる。メッセージ相互作業ユニットによってＩＭＳメッセージへテキストメッセージを変換することと、コールセッション制御機能へＩＭＳメッセージをルーティングすることとを含む。この実施形態によって、ＣＡＭＥＬ機能が回路交換ネットワークで使用可能なとき、ＩＭＳネットワークにおける発信テキストメッセージの透過的な処理ができるようになる。
【００１８】
さらなる実施形態では、当該方法は、ＣＡＭＥＬサービスの制御下で、回路交換ネットワークからＩＭＳネットワークへテキストメッセージをルーティングするのに使用されるシグナリングアドレスにパブリックサービスＩＤおよび相関識別子を含めることを含む。メッセージ相互作業ユニットが、テキストメッセージをＩＭＳメッセージへ変換し、ＩＭＳサービスプラットフォーム（例えばＳＩＰアプリケーションサーバＳＩＰ−ＡＳ）へＩＭＳメッセージを転送する。ＩＭＳメッセージにおいてパブリックサービスＩＤを検出すると、ＩＭＳサービスプラットフォームはＣＡＭＥＬサービスに機能的に結合し、ＩＭＳメッセージにおけるパブリックサービスＩＤおよび相関識別子を、回路交換ネットワークからテキストメッセージを送信した際にＩＭＳ加入者によって初期に示された所望の宛先で置き換えるものとされる。ＩＭＳネットワークにおけるＩＭＳメッセージをさらにルーティングすることを含む。ＩＭＳネットワークにおけるＩＭＳメッセージのルーティングは、ＩＭＳ加入者のユーザプロファイルに基づいて、補足サービスの選択的な呼び出しと付加価値サービスの選択的な呼び出しとを含む。相関識別子の使用、およびＣＡＭＥＬサービスに結合されたＳＩＰ−ＡＳ機能へのＩＭＳメッセージのルーティングによって、ＧＳＭアクセスネットワークに固有の情報で、またはＩＭＳネットワークで使用可能ではない情報でＩＭＳメッセージを増大させることができるようになる。このような情報の一例はＧＳＭ位置情報である。
【００１９】
さらなる代替実施形態では、ＩＭＳ加入者から発信されたテキストメッセージの送信方法が提供される。上記ＩＭＳ加入者は回路交換ネットワークの加入者でもある。ＩＭＳ加入者は、上述の登録実施形態のいずれか１つに係る方法使用してＩＭＳネットワークに登録されている。この実施形態では、ＩＭＳ加入者から発信テキストメッセージを受信するＭＳＣがＳＩＰシグナリング機能を備え、ＩＭＳ加入者は、マルチメディア加入者として回路交換ネットワークに登録されている（ＭＳＣにおける加入者のユーザプロファイルが特別な表示を含むことを伴っている）。当該方法は、ＭＳＣにおけるＳＩＰメッセージへテキストメッセージを変換することと、例えばＭＳＣにおけるＳＩＰユーザエージェントクライアント機能を使用して、ＩＭＳ加入者に関連したサービングコールセッション制御機能（Ｓ−ＣＳＣＦ）へＳＩＰメッセージを配信することとをさらに含む。ＳＩＰメッセージは、ネットワーク構成に応じて、Ｓ−ＣＳＣＦへ転送する前に、プロキシコールセッション制御機能（Ｐ−ＣＳＣＦ）を通して、尋問コールセッション制御機能（Ｉ−ＣＳＣＦ）を通して、または両方で送信できる。このＳ−ＣＳＣＦは、ＩＭＳ加入者が登録されているＳ−ＣＳＣＦであり、メッセージのさらなる処理を応用し、移動電話ネットワークからテキストメッセージを送信した際にＩＭＳ加入者によって初期に示された所望の宛先へメッセージを送信する。Ｓ−ＣＳＣＦによるＩＭＳメッセージの処理は、ＩＭＳ加入者のユーザプロファイルに基づいて、補足サービス選択的な呼び出しと付加価値サービスの選択的な呼び出しとを含む。これによって、移動電話ネットワークにおけるＭＳＣの機能を改良することで透過的なメッセージング機能を提供できるようになる。
【００２０】
さらなる観点では、本発明は、処理システム（すなわち一般的に知られたデータ処理システム）を備え、回路交換ネットワークおよびＩＰマルチメディア（ＩＭＳ）ネットワークと通信するものとされたゲートウェイユニットに関する。処理システムは、さらに、回路交換ネットワークの加入者であるマルチメディア加入者のユーザ端末をＩＭＳネットワークに登録するものとされる。正規の通信（ボイスを含む）のためにユーザ端末の回路交換通信機能に関連した第１の連絡先アドレスのＩＭＳネットワークにおける登録を使用し、メッセージングのためにユーザ端末の回路交換通信機能に関連した第２の連絡先アドレスのＩＭＳネットワークにおける登録を使用する。
【００２１】
さらなる実施形態では、ゲートウェイユニットは、さらに、上述の方法実施形態を実行するものとされる。
【００２２】
処理システムは、回路交換ネットワーク、ＩＭＳネットワーク、または回路交換ネットワークとＩＭＳネットワークとの組合せに含まれた１または２以上のネットワークユニット処理リソースを使用して、分散型処理システムとして実装できる。例えば、機能の一部を回路交換ネットワークのＭＳＣに実装して、一部をＩＭＳネットワークにおけるコールセッション制御機能に実装してもよい。
【００２３】
さらに、本発明は、処理システムにロードされると処理システムに上述の方法実施形態のいずれか１つの機能を提供するコンピュータ実行可能命令を含むコンピュータプログラムプロダクトに関する。
【図面の簡単な説明】
【００２４】
以下、多くの実施形態例を使用して、添付図面を参照しながら、より詳細に本発明を説明する。
【００２５】
【図１】ＧＳＭネットワークとＩＭＳネットワークとの組合せの概略図を示す。
【図２】本発明の一実施形態に係る登録方法を実施する機能の概略図を示す。
【図３】本発明の一実施形態に係るマルチメディア加入者が発信したテキストメッセージのルートの概略図を示す。
【図４】さらなる一実施形態に係る回路交換ネットワークに属するマルチメディア加入者へのＩＭＳネットワークにおけるＩＭＳメッセージのルーティングの概略図を示す。
【図５】さらなる一実施形態に係るＩＭＳネットワークにおけるＩＭＳメッセージのルーティングの概略図を示す。
【図６】さらなる一実施形態に係る回路交換ネットワークまたはＩＭＳネットワークによるマルチメディア加入者へのＩＭＳネットワークにおけるＩＭＳメッセージのルーティングの概略図を示す。
【図７】さらなる一実施形態に係るＩＭＳネットワークにおける発信テキストメッセージのルーティングの概略図を示す。
【図８】さらなる一実施形態に係るＩＭＳネットワークへの発信テキストメッセージのルーティングの概略図を示す。
【図９】さらなる一実施形態に係るＣＡＭＥＬを使用するＩＭＳネットワークへの発信テキストメッセージのルーティングの概略図を示す。
【図１０】さらなる一実施形態に係るＣＡＭＥＬ制御下のメッセージインターセプトを使用するＩＭＳネットワークへの発信テキストメッセージのルーティングの概略図を示す。
【図１１】さらなる一実施形態に係る移動電話ネットワークにおける拡張ＭＳＣを使用するＩＭＳネットワークへの発信テキストメッセージのルーティングの概略図を示す。
【発明を実施するための形態】
【００２６】
本発明は、図１に概略的に示すように、ＩＭＳ（Internet  Protocol(IP)  Multimedia  System）ネットワーク３１と、移動電話ネットワーク３２（例えばＧＳＭ、ＧＰＲＳ、またはＵＭＴＳネットワーク）のような回路交換（CS：circuit  switched）ネットワークとに関する。ＩＭＳネットワーク３１は、複数のＳＩＰ（Session  Initiation  Protocol：セッション開始プロトコル）端末３３（図１では１つ示す）にサービスを行い、移動電話ネットワーク３２は複数のユーザ端末３４（例えばＧＳＭまたはＵＭＴＳ端末。同様に、図１ではＧＳＭ端末３４を１つ示す）にサービスを行う。ＩＭＳネットワーク３１に対する加入者は、回路交換ネットワーク３２に対する加入者でもあるとしてもよい。ＩＭＳネットワーク３１と回路交換ネットワーク３２との間にゲートウェイ３５を置くことができる。ゲートウェイ３５は２つのネットワーク間を相互接続させることができる。ゲートウェイ３５の周りのネットワーク３１、３２の破線の拡張で示すように、ゲートウェイ３５は２つのネットワーク３１、３２の１つの一部とすることができる。
【００２７】
ゲートウェイ３５は、適当なインタフェースを使用して様々な通信を処理可能な、当技術分野で一般的に周知の処理システムを備えたものとすることができる。この処理システムは、処理システムの実際の機能を定めるコンピュータ実行可能命令の制御下、したがってゲートウェイユニット３５の制御下とすることができる。また、処理システムは、回路交換ネットワークまたはＩＭＳネットワークのいずれか、または回路交換ネットワークおよびＩＭＳネットワークの双方で使用可能な処理リソースを使用して、分散型処理システムとして実施してもよい。コンピュータ実行可能命令は、これらのコンピュータ実行可能命令を含むコンピュータプログラムプロダクト（例えば光記憶媒体や磁気記憶媒体など）からダウンロードするなど、周知の技術を使用して、これらのネットワークユニットにロードできる。
【００２８】
本発明によれば、以下を考慮すると、ＩＭＳ加入者に対するメッセージングのＩＭＳ中心の処理を容易にする機構が提供される。
‐ＩＭＳ加入者から発信されたメッセージが、ＧＳＭショートメッセージサービス（SMS：short  message  service）を使用してＧＳＭ／ＵＭＴＳ端末３４から、またはＩＭＳメッセージング方法を使用してＳＩＰ端末３３から送信できる。
‐ＩＭＳ加入者に向かうメッセージが、当該加入者のＧＳＭ／ＵＭＴＳ端末３４で、または当該加入者のＳＩＰ端末３３でオファーおよび配信できる。
【００２９】
以下の説明において、「ＧＳＭ／ＵＭＴＳ端末」３４といえば、ＧＳＭ、ＧＰＲＳ、またはＵＭＴＳネットワーク３２に属する端末は以下を意図したものである。
‐ＧＳＭダイレクトトランスファアプリケーションパート（DTAP：Direct  transfer  application  part）を使用して、意図する方向へ移動交換センタ（MSC：Mobile  switching  centre）２１（例えば図３を参照）およびショートメッセージサービスセンタ（SMSC：Short  message  service  centre）によってショートメッセージを送信する。または、
‐ＧＳＭ  ＤＴＡＰプロトコルを使用して、意図する方向へサービングＧＰＲＳサービスノード（SGSN：Serving  GPRS  service  node）およびＳＭＳＣによってショートメッセージを送信する。
‐ＤＴＡＰで到着するＳＭＳが、ＳＭＳＣを通過することなく、ＩＭＳネットワーク３１（ＳＭＳの送信者に関する）へ送信できる。
【００３０】
ＧＳＭ、ＧＰＲＳ、またはＵＭＴＳネットワーク３２への上記付属は、無線アクセスネットワーク（RAN：Radio  access  network）、ＧＳＭ  ＥＤＧＥ無線アクセスネットワーク（GERAN：GSM  EDGE  Radio  access  network）、ユニバーサル地上波無線アクセスネットワーク（UTRAN：Universal  terrestrial  radio  access  network）、またはジェネリックアクセスネットワーク（GAN：Generic  access  network）によって達成できる。ＲＡＮ、ＧＥＲＡＮ、またはＵＴＲＡＮによって付属が行われる場合、アクセスネットワークはマクロネットワーク、マイクロネットワーク、ピコネットワーク、またはホームネットワークの形態をとることができる。ホームネットワークでは、フェムトセル基地局が使用される。
【００３１】
上述のＧＳＭ／ＧＰＲＳなどの端末３４へ／から送信されたメッセージは、これ以降は、「ＧＳＭショートメッセージ」、「ショートメッセージ」、または単に「ＳＭＳ」という。
【００３２】
「ＳＩＰ端末」３３といえば、パケット交換接続を有し、ＳＩＰスタックおよびＩＭＳメッセージング機能を含む端末を意図する。ＳＩＰ端末３３は、ＩＭＳメッセージの送受信のため、ＩＭＳネットワーク３１への登録が必要である。ＳＩＰ端末３３は、ＰＣベースのソフトクライアントなどの有線装置とすることもできれば、ＩＭＳメッセージング機能を有するＵＭＴＳ端末、ＷＬＡＮ端末、ＨＳＰＡ端末などの無線装置とすることもできる。
【００３３】
マルチアクセス機能（MAF：multi  access  function）は、ＧＳＭ加入者がＩＭＳネットワーク３１からサービスを得られることを容易にする技術である。ここで、ＧＳＭ加入者はＩＭＳネットワーク３１に登録される。登録機能（RF：Registration  Function）３によってＧＳＭ加入者のＩＭＳ登録が行われる（以下の図２の説明を参照）。ＲＦ３は、ＧＳＭ加入者に代わってＩＭＳ登録を開始するＩＭＳコアネットワーク３１に位置する機能エンティティである。ＲＦ３による登録は、ＲＦ３がＩＭＳコアネットワーク３１に、より具体的にはＳ−ＣＳＣＦ５（サービングコールセッション制御機能（Serving  Call  Session  Control  Function）。以下図２も参照）に連絡先アドレスを提供することを含む。Ｓ−ＣＳＣＦ５は、この連絡先アドレスを使用して、ＭＡＦ加入者にコールを配信する。連絡先アドレスは、ＩＭＳネットワーク３１における媒体ゲートウェイコントローラ（MGC：Media  gateway  controller）に関連する。ＭＧＣは、媒体ゲートウェイ（MGW：Media  gateway）との組合せで、ボイスコールに対するＩＭＳネットワーク３１と回路交換（ＣＳ）ネットワーク３２との間のＩＭＳゲートウェイ３５として動作する。
【００３４】
上述のマルチアクセス機能ＭＡＦはボイスコールに対して開発されたものである。ＭＡＦの現時点の原理および機構は、ファックスコール、データコール、およびビデオコールにも応答できる。しかしながら、現時点のＭＡＦはメッセージングには応用できない。主な理由は、Ｓ−ＣＳＣＦ５に登録されたＭＡＦ加入者の連絡先アドレス（例えばAA709875300@mgc.ims.telenor.se）がＭＧＣに関連しているからである。ＧＳＭまたはＵＭＴＳ電話（ユーザ端末３４）を有するＭＡＦ加入者は、ボイスコールにはＣＳコール方法を使用し、メッセージングにはＳＭＳを使用できる。ＭＧＣは、ボイスコールに対するゲートウェイ３５として動作できるが、メッセージングに対するゲートウェイ３５としては動作できない。ＩＭＳベースのメッセージングとＧＳＭネットワーク３２におけるＳＭＳとの間のシームレスな相互作業には、特別な構成がＭＡＦ加入者に必要である。ＩＭＳベースのメッセージングとＳＭＳとの間を変換する機能を有する相互作業ユニと（メッセージングゲートウェイ）が存在する。メッセージングに関する限り、ＭＡＦの現時点の欠点は以下である。
‐ＭＡＦ加入者が自身のＧＳＭ電話３４からショートメッセージ（ＳＭＳ）を開始する場合には、このＳＭＳはＩＭＳネットワーク３１を通過しない。
‐ＭＡＦ加入者へＳＭＳが送信される場合には、加入者がＭＡＦ加入者であることに基づいて、このＳＭＳをＩＭＳネットワーク３１へ送信するには特別な機構が必要である。
‐ＩＭＳネットワーク３１が加入者に対する（ＩＭＳベースの）メッセージを処理している場合には、このメッセージを加入者の登録連絡先アドレスに配信すべきか（ＩＭＳメッセージングが可能なＳＩＰ装置３３を加入者が有している場合）、ＳＭＳへの変換のためにメッセージングゲートウェイへルーティングすべきかを判断するのに特別なサービスが必要である。
【００３５】
実際、これに伴い、ＭＡＦ加入者とやり取りするメッセージングを容易にするために、ＩＭＳネットワーク３１において特別なメッセージングアプリケーションサーバが必要となる。効果的には、ＭＡＦ加入者とやり取りするメッセージングはＩＭＳネットワーク３１において「シームレス」に行うべきである。ＭＡＦ加入者は、正規のＩＭＳ加入者であると考え、そのように取り扱うべきである。ゆえに、ＭＡＦ加入者に向かうＩＭＳメッセージは正規のＩＭＳのやり方で処理すべきであり、ＭＡＦ加入者へ配信すべき、すなわちショートメッセージの形でＭＡＦ加入者へ配信すべきである。
【００３６】
本発明の基本的な概念は、ＭＡＦ加入者がＩＭＳメッセージングのためにＩＭＳネットワーク３１に登録されるということである。ＭＡＦ加入者のＩＭＳ関連登録は、ＳＭＳによってＭＡＦ加入者とやり取りするメッセージングに関する。ＭＡＦの概念によれば、ＩＭＳネットワーク３１におけるメッセージング関連ＩＭＳ登録はＩＭＳの原理を従うものでなければならない。ＭＡＦ加入者とやり取りするメッセージングを行う場合、ＩＭＳメッセージング（ＩＭＳネットワーク３１の内部）とＳＭＳ（ＧＳＭネットワーク３２内）との間の相互作業を行わなければならない。
【００３７】
以上を考慮すると、ＭＡＦ加入者は、ＲＦ３によって登録される一実施形態の２つの連絡先アドレスを有する。
‐例えばAA709875300@mgc.ims.telenor.seなど、ボイスコール用の連絡先アドレス。ＭＡＦ加入者に向かうボイスコールはこの連絡先アドレスへ配信される。すなわち、ＭＧＣへルーティングされる。ＭＧＣは、さらなる処理のため、ＰＬＭＮにおける専用ＧＭＳＣへこのコールをルーティングする。
‐例えば709875300@IMG.ims.telenor.seなど、メッセージング用の別の連絡先アドレス。ＭＡＦ加入者に向かうＩＭＳメッセージはこの連絡先アドレスへ配信される。すなわち、ルーティングＩＭＳメッセージングゲートウェイ（ＩＭＧ）２２へルーティングされる（以下の図３についての説明を参照）。ＩＭＧ２２は、ＭＡＦ加入者へのＳＭＳの形でのメッセージの配信を処理する。
【００３８】
ＭＡＦ加入者は、ＩＭＳメッセージアプリケーションを有する電話をもつことができる（すなわちＳＩＰ端末３３）。これは、例えばＳＩＰメッセージクライアントを有するＧＰＲＳまたはＵＭＴＳ電話とすることができる。このような電話３３におけるＩＭＳメッセージアプリケーションはそれ自体でＩＭＳに登録できる。その状況で、ＭＡＦ加入者は、このＳＩＰメッセージクライアントからＩＭＳメッセージを送受信できる。この場合、ＩＭＳメッセージ送受信は、ＲＦ３が登録したＩＭＳメッセージング連絡先アドレスではなく、ＳＩＰメッセージクライアントに関する連絡先アドレスで行われる。
【００３９】
以下で説明する実施形態では、連絡先の登録、メッセージングの発信、メッセージングの終了について、より詳細に説明する。図２は、ＩＭＳネットワーク３１における連絡先アドレスの登録のための高レベルアーキテクチャの概略図を示している。
【００４０】
加入者データベース（SD：Subscriber  Database）２は、ＩＭＳネットワーク３１の一部であり、ＭＡＦ加入者を含む加入者の加入者データを有する。各ＭＡＦ加入者は連絡先アドレスのセットを有する。登録機能３（ＲＦ）は、ＩＭＳネットワーク３１のネットワークユニットで動作するソフトウェアエンティティとしてもよく、ＳＤ２と通信しており、ＭＡＦ加入者の加入データ、特に登録する連絡先アドレスを取得する。ＲＦ３は、プロキシコールセッション制御機能（P-CSCF：Proxy  Call  Session  Control  Function）４とも通信しており、Ｐ−ＣＳＣＦ４の方はサービングコールセッション制御機能（Ｓ−ＣＳＣＦ）５と通信可能である。ＲＦ３は、尋問コールセッション制御機能（I-CSCF：Interrogating  Call  Session  Control  Function）とも通信しており、図示はしていないが、当業者には理解されるものである。このようなＩ−ＣＳＣＦ４は、ＧＳＭ端末３４をＩＭＳネットワーク３１に接続するのに使用されるＰ−ＣＳＣＦ４の代わりにすることができる（正規のＩＭＳ端末をＩＭＳネットワーク３１に接続するのに使用されるＰ−ＣＳＣＦ５ではない）。Ｓ−ＣＳＣＦ５は、ホーム加入者サーバ（HSS：Home  Subscriber  Server）６とデータ交換が可能であり、ＨＳＳ６は、ＩＭＳネットワーク３１に接続されたＳＩＰ端末３３に関する加入者データを含む。さらに、ＩＭＳネットワーク３１では、１または２以上のＳＩＰアプリケーションサーバ（ＳＩＰ−ＡＳ）７、７’が提供され、Ｓ−ＣＳＣＦ５と通信できる。
【００４１】
本発明の第１の実施形態によれば、ＳＤ２における各連絡先アドレスは、それに関連する特徴タグを有する。特徴タグは、連絡先アドレスを使用することになるＩＭＳ通信サービス（３ＧＰＰ  ＴＳ  ２３．２２８を参照）を識別する。連絡先アドレスAA709875300@mgc.ims.telenor.seはボイス通信（特徴タグ＝ボイス）に関連し、連絡先アドレス709875300@IMG.ims.telenor.seはメッセージング（特徴タグ＝ＩＭＳメッセージ、ＩＭ）に関連する。
【００４２】
ＩＥＴＦ  ＳＩＰ（ＲＦＣ３２６１）によれば、単一のＳＩＰ登録方法は複数の連絡先アドレスを有する。ゆえに、１つのＳＩＰ登録方法ステップは、ボイス用の連絡先アドレスと、メッセージング用の連絡先アドレスとを有したものとすることができる。Ｓ−ＣＳＣＦ５は、この加入者に対するこれらの連絡先アドレス（例えばパブリックユーザＩＤ+46709875300@telenor.se）の登録を受信し、処理する場合、３ＧＰＰ  ＴＳ  ２３．２２８においてＩＭＳに対して規定された第三者登録を応用できる。第三者登録に伴って、Ｓ−ＣＳＣＦ５は、加入者のユーザプロファイルにおける初期フィルタ基準（IFC：Initial  filter  criteria）に応じて、１または２以上のＳＩＰアプリケーションサーバ（ＳＩＰ−ＡＳ）７、７’へＳＩＰ登録を送信する。例えば、Ｓ−ＣＳＣＦ５がＳＩＰ登録をボイスサービスとしてＳＩＰ−ＡＳ７’へ送信し、ＳＩＰ登録をメッセージングサービスとして別のＳＩＰ−ＡＳ７へ送信するように、ＩＦＣを構成できる。本発明の一実施形態では、これらの２つのＳＩＰ−ＡＳ７、７’は同一のＳＩＰ−ＡＳ７とすることができる。
【００４３】
ＭＡＦ加入者は、例えばＩＭＰＵ１＝sip:+46709875300@telenor.seおよびＩＭＰＵ２＝tel:+46709875300など、１または２以上のＩＭＳパブリックユーザＩＤ（ＩＭＰＵ）を有することができる。ＭＡＦ加入者は、ボイス、ＩＭＳメッセージングの両方のＩＭＰＵに連絡可能である。明示的登録を当該加入者に応用して、単一の登録動作によって複数のＩＭＰＵを登録することもできる。
【００４４】
Ｓ−ＣＳＣＦ５は、「信頼されたエンティティ」のアドレスのリストを有したものとすることもできる。Ｓ−ＣＳＣＦ５は、このリストにアドレスが含まれているエンティティからＳＩＰ登録、ＳＩＰ招待、ＳＩＰメッセージ（または他のＳＩＰ方法）を受信し、Ｓ−ＣＳＣＦ５はこのＳＩＰ要求の認証をスキップする。ＲＦ３のアドレスは、このリストには含まれず、（Ｐ−ＣＳＣＦ４経由で）ＲＦ３から来るＳＩＰ登録には認証が必要ない。
【００４５】
ＭＡＦ加入者による発信ＳＭＳは、発信ＩＭＳメッセージとしてＩＭＳネットワーク３１を通じてルーティングされるものとなる。ＩＭＳネットワーク３１における発信ＩＭＳメッセージの処理は、サービス呼び出し、メッセージルーティングおよび課金を含む標準的なＩＭＳ方法全てに準拠して発生することとなる。加入者の登録ユーザプロファイルは、発信ＩＭＳメッセージがＩＭＳサービスを発動する効果を有する初期フィルタ基準を含むことができる。
【００４６】
図３に、ＭＡＦ加入者端末２０からＩＭＳネットワークへ発信されたＳＭＳメッセージのフローの概略図を示す。
【００４７】
ＭＡＦ加入者端末２０がショートメッセージ（ＳＭＳ）を開始すると、ＳＭＳは、ＧＳＭネットワーク３２におけるＭＳＣ２１からＩＭＧを介してＩＭＳネットワーク３１へルーティングされる。ＳＭＳのルーティングは、ＭＡＦ加入者端末２０におけるＳＭＳＣアドレスに基づき、これはＧＳＭにおける通常原理に従う。図３は、ＭＡＦ加入者による発信ＳＭＳがＩＭＳネットワーク３１においてどのように処理されるかをさらに示している。
【００４８】
ＩＭＧ２２は、ＭＳＣ２１からＭＡＰ  ＭＯ−ＦｏｒｗａｒｄＳＭメッセージを受信する。このＭＡＰメッセージおよび他のＭＡＰメッセージは、３ＧＰＰ  ＴＳ  ２９．００２に規定されている。ＭＯ−ＦｏｒｗａｒｄＳＭメッセージで搬送される主な要素は、ＳＭＳの送信者のＭＳＩＳＤＮ（例えば+46709875300）、ＳＭＳの宛先（例えば+31651613908）、メッセージ本文である。ＩＭＧ２２は、ＳＭＳ（ＭＡＰ）からＩＭＳメッセージ（ＳＩＰ）へ変換する。そして、以下のＳＩＰメッセージヘッダを設定する。
From:  tel:+46709875300
Request-URL:  tel:+31651613908
【００４９】
このＩＭＧ２２は、所定のプロキシＣＳＣＦ（Ｐ−ＣＳＣＦ４）アドレスまたは尋問ＣＳＣＦ（Ｉ−ＣＳＣＦ、図示せず）へＳＩＰメッセージを送信するものとされる。このＰ−ＣＳＣＦ４アドレスの選択は、ＭＡＦ加入者のＳＭＳＣアドレスとしての専用グローバルタイトル（GT：Global  Title）の用途に基づいたものとすることができる。このＧＴは、ＧＳＭ電話２０に記憶され、ＭＡＰメッセージをＳＭＳＣへ送信するのに使用されるものであり、この所定のＰ−ＣＳＣＦ４アドレスへＳＩＰメッセージを送信することを、ＳＭＳＣとして動作するＩＭＧ２２に示す。加えて、ＩＭＧ２２は、ＳＩＰメッセージにおいて「orig」ヘッダを設定して、このＳＩＰメッセージは発信サービスに関するものであると示す。
【００５０】
この所定のＰ−ＣＳＣＦ４は、ＭＡＦ加入者が登録されているＰ−ＣＳＣＦである。ＭＡＦ加入者がこのＰ−ＣＳＣＦ４に登録されているため、Ｐ−ＣＳＣＦ４は、ＳＩＰメッセージを有効にし、有効後はＳＩＰメッセージをＳ−ＣＳＣＦ５へ転送する。Ｐ−ＣＳＣＦ４は、Ｐ−ＣＳＣＦ４が登録中にＳ−ＣＳＣＦ５から受信したデフォルトＩＭＰＵへのＳＩＰメッセージで、例えばsip:+46709875300@telenor.seなどのＰ−アサート済ＩＤ（PAI：P-Asserted-Identity）を設定できる。
【００５１】
Ｓ−ＣＳＣＦ５は、ＳＩＰメッセージを受信すると、このＳＩＰメッセージからのＰＡＩを登録ＩＭＰＵの１つと整合させる。この例では、当該ＳＩＰメッセージは、sip:+46709875300@telenor.seのＩＭＰＵで登録されたＭＡＦ加入者と整合する。ＳＩＰメッセージのさらなる処理は、０または１以上のＩＭＳサービスの呼び出し（ＳＩＰ−ＡＳ７を使用）、ＳＩＰメッセージの宛先の発見、当該宛先へのＳＩＰメッセージの転送などがあり、正規のＩＭＳ原理に従う。
【００５２】
Ｓ−ＣＳＣＦ５は、ＳＩＰメッセージに対して第２のＰＡＩを割り当てる。すなわち、ＭＡＦtel:フォーマットを有する加入者のＩＭＰＵ、tel:+46709875300である。このＳＩＰメッセージの宛先の加入者がＧＳＭ電話（ユーザ端末）３４であれば、tel:フォーマットＰＡＩを、宛先加入者へのＭＡＰメッセージにコーリングパーティナンバ（CgPN：Calling  party  number）を設定するのに使用する。
【００５３】
ＩＭＧ２２のアドレスは、上述のように、ＣＳＣＦ５における信頼されたエンティティのリストに含むことができる。このようにして、Ｓ−ＣＳＣＦ５によってＩＭＧ２２から来るＳＩＰメッセージに対して認証が行われる。
【００５４】
以下、２つの異なる実施形態に対する図４および５の概略図を使用して、目下実施されるＩＭＳメッセージ相互作業方法（すなわち、図３でＳ−ＣＳＣＦ５によって生成されるＩＭＳメッセージのさらなる処理）について説明する。一般に、この場合ではＭＡＦ加入者である宛先加入者のＳ−ＣＳＣＦ５に終了ＩＭＳメッセージが到着すると、ＳＩＰ−ＡＳ７を使用してＩＭＳメッセージング（ＩＭＳ−Ｍ）サービスが呼び出される。ＩＭＳメッセージサービスの呼び出しは、ＭＡＦ加入者のフィルタ基準に基づく。フィルタ基準は、ＳＩＰ要求がメッセージングを、すなわちＳＩＰメッセージを示す場合にＩＭＳ−Ｍサービスが呼び出されるように構成される。ＩＭＳ−Ｍサービスアプリケーションは、メッセージをＳＭＳとして配信すべきか、ＭＡＦ加入者のＩＭＳメッセージングクライアント（ＳＩＰ端末３３）へルーティングすべきかを判定する。
【００５５】
以下、ＩＭＳメッセージング（ＩＭＳ−Ｍ）アプリケーションサーバ（ＡＳ）７の制御下のＭＡＦ加入者（すなわちユーザ端末２０）へＳＭＳの形式でメッセージを配信する第１の実施形態を説明する。これについて、図４に概略的に示す。ＩＭＳメッセージはＩＭＳネットワーク３１における尋問ＣＳＣＦ（Ｉ−ＣＳＣＦ）８に到着する。Ｉ−ＣＳＣＦ８はＨＳＳ６にコンサルティングし、どのＳ−ＣＳＣＦ５がこのＩＭＳメッセージを送信すべきかを判定し、ＩＭＳメッセージをそのＳ−ＣＳＣＦ５へ転送する。
【００５６】
ＳＩＰ−ＡＳ７におけるＩＭＳ−ＭアプリケーションがＳ−ＣＳＣＦ５によって呼び出される場合、ＭＡＦ加入者がＩＭＳメッセージング可能クライアントをインストールしており、アクティブであるかどうかわかっている。ＭＡＦ加入者がＩＭＳメッセージングクライアントをアクティブ化すると、上述のように、クライアントは自身をＩＭＳネットワーク３１に登録する。ＭＡＦユーザのＩＦＣは、Ｓ−ＣＳＣＦ５が第三者登録をＳＩＰ−ＡＳ７におけるＩＭＳ−Ｍアプリケーションへ応用するようなものである。ゆえに、ＩＭＳ−Ｍアプリケーションは、第三者登録のおかげで、ＭＡＦ加入者がＩＭＳメッセージング可能クライアントをインストールしており、アクティブであるかどうかがわかる。
【００５７】
ＳＩＰ−ＡＳ７におけるＩＭＳ−Ｍアプリケーションが、ＭＡＦ加入者がＩＭＳメッセージクライアントを有していないと確かめた場合、ＩＭＳ−ＭアプリケーションはＩＭＳメッセージをＩＭＧ２２へ転送する。すると、ＩＭＧ２２はＩＭＳメッセージをインテリジェントＳＭＳルータ（ISR：Intelligent  SMS  Router）２３へ転送する。ＩＳＲ２３は以下のタスクを行う。
‐ＩＭＳメッセージをＳＭＳへ変換する。
‐ＨＬＲ２４に連絡することと、ＳＭＳを宛先ＭＳＣ２１へ転送することとを含む、ＳＭＳ配信を終了させるＳＭＳＣとして動作する。
【００５８】
Ｓ−ＣＳＣＦ５とＨＳＳ６との間のＤｉａｍｅｔｅｒのやり取りは最適化される。それは、ＩＭＳメッセージが到着した際に、ＭＡＦ加入者がＩＭＳに登録されたものではない場合に使用される。
【００５９】
図５は、ＩＭＳメッセージをＭＡＦ加入者のＩＭＳメッセージングクライアント２０へルーティングするのに適した第２実施形態の概略図を示している。ＩＭＳメッセージクライアント２０が自身を登録したら、ＳＩＰ−ＡＳ７におけるＩＭＳ−ＭアプリケーションはＳＩＰ登録に受信した。ゆえに、ＳＩＰ−ＡＳ７におけるＩＭＳ−ＭアプリケーションがＳ−ＣＳＣＦ５からＳＩＰメッセージを受信すると、ＭＡＦ加入者がＳＩＰメッセージを受信可能であるとわかっている。そのため、ＩＭＳ−Ｍアプリケーションは、Ｓ−ＣＳＣＦ５へＳＩＰメッセージを返信する以外、何ら特別な行動をとらない。そして、Ｓ−ＣＳＣＦ５は、ＭＡＦ加入者のＩＭＳメッセージングクライアント２０のＩＭＳメッセージング連絡先アドレスを使用し、ＭＡＦ加入者に対して（例えばＰ−ＣＳＣＦ４を経由して）ＳＩＰメッセージクライアントを送信する。
【００６０】
Ｕ  ６を参照して以下で説明する以下の実施形態は、Ｓ−ＣＳＣＦ５における登録連絡先アドレスを使用する。この連絡先アドレスは、特にＳＭＳを経由したＭＡＦ加入者へのメッセージ配信（ルーティング）に関する。
【００６１】
図６は、ＭＡＦ加入者へのＩＭＳメッセージの配信を概略的に示している。第１の実施形態では、この概略図の上流が使用される。ＭＡＦ加入者のＳ−ＣＳＣＦ５がＩＭＳメッセージを処理する場合、ＩＭＳメッセージング通信サービスに対応した特徴タグを有する連絡先アドレスを選択する。ゆえに、Ｓ−ＣＳＣＦ５は、宛先加入者（ユーザ端末２０）へのこのメッセージの配信に連絡先アドレス709875300@IMG.ims.telenor.seを使用する。この連絡先アドレスは、Ｓ−ＣＳＣＦ５がＩＭＳメッセージをimg.ims.telenor.seへ、すなわちメッセージングゲートウェイＩＭＧ２２へ（Ｐ−ＣＳＣＦ４を経由して）ルーティングするという効果を有する。メッセージングゲートウェイＩＭＧ２２は、メッセージの宛先として要求ＵＲＩのユーザ部分（709875300）を使用する。ＭＡＦ加入者へのショートメッセージの送信は、標準的ＧＳＭ  ＳＭＳメッセージング方法に従って行われるものであり、（ＩＭＧ２２による）ＨＬＲ２４へのＭＡＰの使用と、宛先ＭＳＣ２１へのＭＡＰの使用とを含む。したがって、ＧＳＭネットワーク３２におけるＳＭＳ配信の詳細は、本開示ではこれ以上解説しない。
【００６２】
ＭＡＦ加入者へのメッセージの配信は、ＳＭＳの形式では、（例えばＳＩＰ−ＡＳ７における）Ｓ−ＣＳＣＦ５から呼び出された選択的ＩＭＳサービスを含み、ＩＭＳネットワーク３１にとって透過的である。登録連絡先アドレスは、メッセージのルーティングと、ショートメッセージへのＩＭＳメッセージの変換とに使用される。Ｓ−ＣＳＣＦ５から呼び出された選択的ＩＭＳサービスは、着信メッセージスクリーニング、拡張ＣＬＩＰ、課金などのような機能に使用できる。
【００６３】
ＩＭＳメッセージは、そのＩＭＰＵのいずれか、例えばtel:+46709875300などを使用してＭＡＦ加入者へ送信できる。宛先加入者がＳＭＳの形式でＩＭＳメッセージをＳＩＰ電話３３で受信しているか、またはＧＳＭ電話３４で受信しているかは、ＩＭＳメッセージの送信者にとって透過的である。ゆえに、ＩＭＳメッセージの送信者は、宛先加入者がＭＡＦ加入者であるかわからない。図６の上流に示すＩＭＧ２２は、メッセージ変換機能およびショートメッセージ配信機能を有する。すなわちＳＭＳＣとして動作する。
【００６４】
図６の概略図の上流は、ＭＡＦ加入者の登録ＩＭＳメッセージングクライアント（ユーザ端末２０における）へのＩＭＳメッセージの配信、すなわちメッセージの配信の第２の実施形態を示している。この場合、ＳＩＰメッセージはＳ−ＣＳＣＦ５からＰ−ＣＳＣＦ４へ転送され、ＩＰネットワーク９を経由してユーザ端末２０へ進む。この実施形態におけるＭＡＦ加入者は、メッセージングに関して、Ｓ−ＣＳＣＦ５に２つの登録連絡先アドレスを有する。
‐メッセージングゲートウェイに関連した連絡先アドレス。例えば709875300@img.ims.telenor.se。この連絡先アドレスは登録機能ＲＦ３（上記を参照）によって登録される。メッセージをＭＡＦ加入者へ配信するのに使用される。メッセージはメッセージングゲートウェイ２２によって送信する。ＩＭＳメッセージをショートメッセージへとゲートウェイに変換させる。
‐ＭＡＦ加入者の移動端末２０におけるＳＩＰメッセージングクライアントに関連した別の連絡先アドレス。この連絡先アドレスは、例えばＩＰｖ４アドレスの形式としてもよく、ＭＡＦ加入者の移動端末２０におけるＳＩＰメッセージングクライアントによる正規のＩＭＳ登録動作によってＳ−ＣＳＣＦ５に登録される。
【００６５】
Ｓ−ＣＳＣＦ５が、メッセージング用に登録された２つの連絡先アドレスを有する加入者に対するＩＭＳメッセージを処理するときは、それぞれの連絡先アドレスに対する優先度設定を使用して、メッセージの配信にどの連絡先アドレスを最初に使用するかを選択する。本発明の一実施形態において、ＳＩＰメッセージングクライアント３３（ユーザ端末２０における）の連絡先アドレスは、メッセージングゲートウェイに関連した連絡先アドレスよりも優先度の値を高くすることができる。このような状況では、Ｓ−ＣＳＣＦ５はＳＩＰメッセージングクライアント３３へＩＭＳメッセージを配信しようとする。それができなければ、Ｓ−ＣＳＣＦ５は、メッセージングゲートウェイ２２を通じてＭＡＦ加入者へ（そして最終的にはユーザ端末２０へ）メッセージを配信しようとする。
【００６６】
以下の状況が発生しよう。
（１）ＭＡＦ加入者がＧＰＲＳ／ＷＬＡＮカバーエリアを有しており、ＩＭＳメッセージング（ＩＭＳ−Ｍ）クライアント３３が登録されている。Ｓ−ＣＳＣＦ５がＳＩＰクライアント３３の連絡先アドレスを使用して、ＩＭＳメッセージを配信する（図６の下流）。
（２）ＭＡＦ加入者がＧＰＲＳ／ＷＬＡＮカバーエリアの外にあるため、ＳＩＰクライアント３３が登録されていない。Ｓ−ＣＳＣＦ５は、ＩＭ特徴タグを有する他の連絡先アドレスを使用する。ＩＭＳメッセージは、ここで前述（図６の上流）のようにＩＭＧ２２へ送信される。
（３）ＭＡＦ加入者がＧＰＲＳ／ＷＬＡＮカバーエリアを有しており、ＳＩＰクライアント３３が登録されている。Ｓ−ＣＳＣＦ５がＳＩＰクライアント３３の連絡先アドレスを使用して、ＩＭＳメッセージを配信する（下流）。ＩＭＳ−Ｍクライアントへのメッセージ配信はできない。Ｓ−ＣＳＣＦ５は、ＩＭ特徴タグを有する他の連絡先を使用する。ＩＭＳメッセージは、ここで前述（上流）のようにＩＭＧ２２へ配信される。
【００６７】
図６は、メッセージング関連連絡先アドレスが２つＳ−ＣＳＣＦ５に登録されている場合にＩＭＳメッセージがＭＡＦ加入者へ配信される実施形態にも適用する。Ｓ−ＣＳＣＦ５は、まず、ＭＡＦ加入者のＩＭＳメッセージングクライアント３３に関する連絡先アドレスを使用する。配信できなければ、Ｓ−ＣＳＣＦはＩＭＧ２２に関する連絡先アドレスを使用する。ＭＡＦ加入者へのメッセージの配信は、ＩＭＳメッセージ形式またはＳＭＳ形式のいずれかであるが、ＩＭＳネットワーク３１にとって透過的であり、（ＳＩＰ−ＡＳ７を使用して呼び出された）選択的ＩＭＳサービスを含む。登録連絡先アドレスは、必要に応じて、メッセージのルーティング、ショートメッセージへのＩＭＳメッセージの変換に使用される。Ｓ−ＣＳＣＦ５から呼び出された選択的ＩＭＳサービスは、着信メッセージングスクリーニング、拡張ＣＬＩＰ、課金などのような機能に使用できる。
【００６８】
上述の様々な実施形態によれば、ＭＡＦ加入者は、そのＧＳＭ電話３４でＩＭＳメッセージを受信できる。ＩＭＳメッセージは、ＭＡＦ加入者への配信前にショートメッセージへ変換される。ＭＡＦ加入者がその電話でアクティブなＩＭＳメッセージングクライアントを有する場合（例えばＧＰＲＳ／ＵＭＴＳを使用）、ＩＭＳネットワークは、まずＩＭＳメッセージクライアント３３へＩＭＳメッセージを配信しようとし、代替方法としてＳＭＳによる配信を使用する。
【００６９】
この発明の開示で説明する方法実施形態は、マルチアクセス機能（ＭＡＦ）の概念にうまく適合する。ＭＡＦ加入者へのＩＭＳメッセージの配信は、ＩＭＳネットワーク３１でアクティブとすることができるＩＭＳサービスにとって透過的である。
【００７０】
ＩＭＳ加入者は、ＧＳＭ加入者からショートメッセージを受信できることを望む。ＧＳＭ加入者がショートメッセージを送信する場合、Ｅ．１６４番号を使用してＩＭＳ加入者にアドレスする。実際、ＳＭＳの送信者は、このＳＭＳの宛先がＩＭＳ加入者であると知る必要はない。ＩＭＳ加入者へ送信されたＳＭＳは、ＩＭＳネットワーク３１へ配信すべきであり、そのためＩＭＳネットワーク３１は、ＩＭＳメッセージに正規のＩＭＳサービスを応用し、例えば加入者のＩＭＳ端末３３における加入者のＳＩＰクライアントへメッセージを送信することで、ＩＭＳ加入者へメッセージを配信できる。このように、ＩＭＳネットワーク３１はメッセージの配信のためのサービングドメインである。
【００７１】
以下の実施形態は、移動電話ネットワーク３２におけるショートメッセージサービスセンタ（ＳＭＳＣ）からショートメッセージの受信予定者のＩＭＳネットワーク３１へのショートメッセージの効果的なルーティングの方法を提案する。ＳＭＳＣ２８の機能に応じて、ショートメッセージは、ＳＭＳＣ２８から直接ショートメッセージの受信予定者のＩＭＳネットワーク３１のＩ−ＣＳＣＦ８へ送信できる。図７は、この実施形態の位置実施形態の概略図を示している。
【００７２】
この実施形態に伴って、ショートメッセージを発信したＳＭＳＣ２８（図７では（１）で示す）は、ショートメッセージの宛先加入者のＩＭＳネットワーク３１のＩ−ＣＳＣＦ８またはＳ−ＣＳＣＦ５のドメインネームを取得する。ＳＭＳＣ２８は、宛先加入者のＭＳＩＳＤＮに関連したＧＳＭネットワーク３２におけるシグナリング中継機能（SRF：Signaling  Relay  Function）２６から、このＩ−ＣＳＣＦ８またはＳ−ＣＳＣＦ５のドメインネームを取得する（図７では（２）で示す）。ＳＭＳＣ２８は、この実施形態では、ショートメッセージをＩＭＳメッセージへ変換する機能が設けられる。このようなＳＭＳとＩＭＳメッセージとの間で変換する機能は、例えばＩＭＳメッセージングゲートウェイ（ＩＭＧ２２）において利用可能であり、かかるＩＭＧ２２はＳＭＳＣ２８の一部として実装可能である。ＳＭＳＣ２８は、受信したＩ−ＣＳＣＦ８またはＳ−ＣＳＣＦ５のドメインネームを使用して、ＩＭＳメッセージへ変換した後、ＩＭＳネットワーク３１へ（Ｉ−ＣＳＣＦ８（５）またはＳ−ＣＳＣＦ５（６）のいずれかへ）メッセージをルーティングする。ＩＭＳネットワーク３１は、受信したＩＭＳメッセージの正規の処理を応用する。
【００７３】
第１実施形態代替では、ＳＭＳはＳ−ＣＳＣＦ５のアドレスに基づいてルーティングされる（図７の経路（６））。この方法の原理は、ＳＲＦ２６がＳＭＳルーティングクエリのために改良されることである。ＳＭＳのルーティングを終了させる正規の方法に伴い、ＳＭＳＣ２８は、宛先加入者、すなわちＳＭＳの受信予定者に関連したＨＬＲ２４に対してクエリを行う。ＨＬＲ２４は、ＩＭＳＩおよびＭＳＣアドレスをＳＭＳＣ２８へ変身する。ＳＭＳＣ２８は、示されたＭＳＣへＳＭＳを転送する（図７には図示せず）。ＭＳＣは、ＳＭＳＣ２８からＭＳＣへのＳＭＳ転送に含まれるＩＭＳＩを使用して、ＳＭＳの受信予定者へＳＭＳを配信する。
【００７４】
提案した改良方法について、図７を参照しながら、段階的なメッセージシーケンスの説明によって、さらに説明する。図７の括弧の中の数字は、シーケンシャルシグナリングを表したものではないが、表１で詳細に説明するように、処理または参照ポイント（インタフェース）をマークするのに使用される。
【００７５】
【表１】
2011526431.tif 000003
【００７６】
宛先加入者が、例えば加入者がＧＳＭ加入者である（そのＧＳＭ電話３４にＩＭＳ機能なし）などのため、ＳＩＰ３３をもたない場合、ＩＭＳメッセージはＳＭＳの形態で加入者に配信できる。このため、以上図１〜６に関して説明した本発明実施形態を使用できる。
【００７７】
正規のＳＭＳの形式で宛先加入者へメッセージを配信することに関する一態様は「適応ＨＬＲ２４クエリ」である。メッセージをＳＭＳへ変換するためのメッセージ変換器を通してメッセージがルーティングされる場合、ＨＬＲ２４に対してクエリが再び行われ、宛先加入者のＧＳＭ電話３４においてＳＭＳを配信するためにＭＳＣアドレスおよびＩＭＳＩが取得されよう。ＨＬＲ２４クエリは、この場合、ＳＲＦ２６が通常のＳＭＳ対処を応用するという表示を含むことになる。つまり、ＭＡＰ  ＳＲＩ−ＳＭはＨＬＲ２４へ転送するが、Ｄｉａｍｅｔｅｒ  ＬＩＲはＨＳＳ６へ送信しないということである。
【００７８】
今説明した方法実施形態の結末として、我々は、正規のＩＭＳメッセージング対処について、ＩＭＳ方法にしたがって、宛先加入者のＳ−ＣＳＣＦ５への終了ＳＭＳの非常に効果的で効率的なルーティングを達成した。この効果的なメッセージルーティングは、主に、改良したＳＲＦ２６によって達成される。かかるＳＲＦ２６は、ＨＬＲ２４ではなくＨＳＳ６へＳＭＳアドレスクエリを送信する。このＳＲＦ２６に対する改良は、ＳＲＦ２６の主タスクの１つとインラインである。つまり加入者クエリを適当なＨＬＲ２４へルーティングするアシストをする。ＩＭＳ加入者へショートメッセージを送信する場合、「適当なＨＬＲ」は実際には加入者のＨＳＳ６である。
【００７９】
ＳＲＦ２６における加入者のＨＳＳ６アドレスをプロビジョニングする代わりに、単純に加入者を「ＩＭＳ加入者」としてマークできる。そして、ＳＲＦ２６は、ＩＭＳネットワーク３１における加入者ロケータ機能（ＳＬＦ）へＤｉａｍｅｔｅｒ  ＬＩＲを送信し、これは正しいＨＳＳ６のアドレシングをアシストする。このやり方でのＳＬＦの使用はＩＭＳに従う。あるいは、ＳＲＦ２６およびＳＬＦは共同設置もできれば、統合さえもできる。さらに、本発明は、集中型ユーザデータベース（CUDB：Centralised  User  Database）原理との組合せにも応用可能であり、限定はしないがＨＬＲ２４とＨＳＳ６とＳＲＦ２６とを含む加入者データベースは機能的に統合または組合せが行われる。
【００８０】
ＳＭＳルーティングに基づくＳ−ＣＳＣＦ５アドレスのメッセージシーケンスは以下である。ＳＭＳＣ２８は、ＳＭＳＣ２８へのショートメッセージを搬送するＭＡＰ  ＭＯ−ＦｏｒｗａｒｄＳＭＳメッセージを受信する。厳密に言えば、ＭＡＰ  ＭＯ−ＦｏｒｗａｒｄＳＭＳはＳＭＳ相互作業ＭＳＣ（ＳＭＳ−ＩＷＭＳＣ）へ送信される。通常、ＳＭＳ−ＩＷＭＳＣはＳＭＳＣ２８に統合される。したがって、この説明の残りでは、ＳＭＳ−ＩＷＭＳＣはＳＭＳＣ２８に統合されているものと想定する。ショートメッセージは、ＳＭＰＰなどの他のプロトコルでもＳＭＳＣ２８に到着できる。そしてＳＭＳＣ２８はＳＲＦ２６へ要求ＭＡＰＳＭＳに対するルーティング情報送信を送信し、ＳＲＦ２６は、ＨＳＳ６とのＤｉａｍｅｔｅｒ位置情報メッセージ交換を使用して、所望の情報を取得する。結果はＳＭＳＣ２８へ返信され、ＳＭＳＣ２８はＳＭＳメッセージをＳＩＰメッセージに変換し、示されたＳ−ＣＳＣＦ５へ転送する。
【００８１】
ＳＭＳＣ２８がＩＭＳメッセージング機能をサポートしない場合には、以下の代替選択が提供される。ＳＭＳＣ２８は、ＳＲＦ２６から受信されたＭＡＰ  ＳＲＩ−ＳＭ結果におけるＳ−ＣＳＣＦ５アドレスを処理できなかろう。ＳＭＳＣ２８は、この場合、通常のＳＭＳ処理のためにＭＡＰ  ＳＲＩ−ＳＭ結果における情報を受信すべきである。
【００８２】
第１代替方法実施形態では、ＳＭＳＣ２８は、ＳＲＦ２６へのＭＡＰ  ＳＲＩ−ＳＭＳメッセージに、そのＩＭＳメッセージング機能についての明示的表示を含める。ＳＭＳＣ２８がＩＭＳメッセージングをサポートするとＭＡＰ  ＳＲＩ−ＳＭＳが示す場合、ＳＲＦ２６はＳＭＳＣ２８へＳ−ＣＳＣＦ５アドレスを返信できる。そうでない場合、ＳＲＦ２６は通常のＳＭＳ対処を応用する。すなわちＨＬＲ２４に連絡し、ＭＳＣアドレスおよびＩＭＳＩを返信する。ＳＭＳＣ２８は、後者の場合、ＩＭＳネットワーク３１を通さず、電話ネットワーク３２におけるＭＳＣ２１へ直接ショートメッセージを転送する。
【００８３】
第２代替方法実施形態では、ＳＲＦ２６は、ＩＭＳメッセージング機能を有するＳＭＳＣ２８のリストを維持する。このようにして、ＳＲＦ２６は、ＳＭＳＣ２８へＳ−ＣＳＣＦ５アドレスを返信するかどうかを決定できる。ある特定のＳＭＳルーティングクエリにおいて、ＳＭＳＣ２８へのＳ−ＣＳＣＦ５アドレスの送信ができなければ、ＳＲＦ２６は上述のようにＭＳＣアドレスおよびＩＭＳＩを返信できる。
【００８４】
上述の代替機構は、どちらの方法実施形態も、ＳＭＳを正規のやり方でＭＳＣ２１へ直接送信するため、ＩＭＳネットワーク３１をバイパスする。
【００８５】
ＭＳＣアドレスおよびＩＭＳＩをＳＭＳＣ２８へ返信することによる代替機構を使用する代わりに、ＳＲＦ２６はメッセージングゲートウェイ（図示せず）のＳＳ７アドレスを返信できる。ＳＲＦ２６は、宛先加入者のＩＭＳＩを取得するために、依然としてＨＬＲ２４に連絡する必要があろう。ＳＭＳＣ２８は、ＭＡＰ  ＳＲＩ−ＳＭ結果を受信すると、メッセージングゲートウェイへＳＭＳを送信するであろう。メッセージングゲートウェイは、メッセージをＩＭＳメッセージへ変換し、このメッセージをＩＭＳネットワーク３１におけるＩ−ＣＳＣＦ８へ転送する。ＩＭＳメッセージのＲ−ＵＲＩは、この場合、宛先加入者のＩＭＳＩへ設定されよう。これは、この加入者のＩＭＳＩがＳ−ＣＳＣＦ５におけるパブリックユーザＩＤ（ＩＭＰＵ）として明示的に登録されることを示している。
代替の場合においてＩＭＳＩを返信する代わりに、ＭＡＰ  ＳＲＩ−ＳＭ結果のＩＭＳＩパラメータにおける加入者のＭＳＩＳＤＮを返信することも考えられる。ＩＭＳＩは、１５桁を含むことができるため、ＭＳＩＳＤＮはＩＭＳＩパラメータに適合する。代替の場合にＭＳＩＳＤＮを返信することは、必要に応じて処置し、ＩＭＳに加入者のＩＭＳＩを登録する。ここでは、ＩＭＳＩの桁構造がＭＳＩＳＤＮの桁構造と異なるため、ＭＡＰ  ＳＲＩ−ＳＭＲｅｓにおけるＩＭＳＩに対してＳＭＳＣ２８がいかなるチェックも行わないものと想定する。
【００８６】
宛先加入者は目下ＩＭＳネットワークに登録されていない場合、ステップ４でＨＳＳ６はＳ−ＣＳＣＦ５アドレスを返信しないだろう。ＨＳＳ６は代わりにＳ−ＣＳＣＦ機能を返信するであろう。Ｓ−ＣＳＣＦ機能は、Ｉ−ＣＳＣＦ８へＨＳＳ６によって送信され、Ｉ−ＣＳＣＦ８がこのコールまたはメッセージに対するＳ−ＣＳＣＦ５を割り当てることができるようにする。Ｉ−ＣＳＣＦ８はテーブルを使用して、ある特定のＳ−ＣＳＣＦ５にＳ−ＣＳＣＦ機能をマッピングする。
【００８７】
本実施形態は、ＳＲＦ２６に同一のマッピングテーブルを設けることを提案する。ゆえに、ＳＲＦ２６は、Ｓ−ＣＳＣＦアドレスの代わりにＳ−ＣＳＣＦ機能を受信すると、上記テーブルを使用して、このメッセージにＳ−ＣＳＣＦ５を選択する。そしてＳＲＦ２６はこのＳ−ＣＳＣＦ５アドレスをＳＭＳＣ２８へ送信する。メッセージ処理の残りは上述のとおりである。Ｓ−ＣＳＣＦ５は、登録されていない加入者に対するＩＭＳメッセージを受信すると、標準的なＩＭＳ方法にしたがってＨＳＳ６へ連絡して加入者プロファイルを取得する。
【００８８】
第２実施形態代替では、ＳＭＳはＩ−ＣＳＣＦ８のアドレスに基づいてルーティングされる。この方法はＳＭＳルーティングクエリに改良ＳＲＦ２６も使用できる。提案する改良方法について、表２を参照しながら、段階的なメッセージシーケンスの説明によって、さらに説明する。
【００８９】
【表２】
2011526431.tif 000004
【００９０】
ＩＭＳメッセージのさらなる処理は、Ｓ−ＣＳＣＦ5に到達したら、従来の方法実施形態（ＳＭＳルーティングに基づくＳ−ＣＳＣＦアドレス）と同様である。
【００９１】
宛先加入者が目下ＩＭＳネットワーク３１に登録されていない場合、ステップ７でＨＳＳ６はＳ−ＣＳＣＦ５アドレスを返信しないであろう。ＨＳＳ６は、代わりにＳ−ＣＳＣＦ機能を返信し、Ｉ−ＣＳＣＦ８がこのメッセージに対してＳ−ＣＳＣＦ５を割り当てることができるようにする。
【００９２】
この方法実施形態の代替機構（ＳＭＳルーティングに基づくＩ−ＣＳＣＦアドレス）は、従来の方法実施形態として説明した代替機構（ＳＭＳルーティングに基づくＳ−ＣＳＣＦアドレス）と同様である。
【００９３】
図７に図式的に示したように、これらの本発明の実施形態を用いると、ＩＭＳ加入者のＩＭＳネットワークへショートメッセージをルーティングする透過的なやり方が提供される。ＩＭＳ加入者はＧＳＭ加入者からＳＭＳを受信できる。このため、ＳＲＦ２６（シグナリング中継機能）はＳＭＳＣ２８へＩ−ＣＳＣＦ８またはＳ−ＣＳＣＦ５アドレスを返信するように改良される。ＳＭＳＣ２８は、ＳＭＳをＳＩＰメッセージへ変換し、Ｉ−ＣＳＣＦ８またはＳ−ＣＳＣＦ５へＳＩＰメッセージを送信できる。
【００９４】
発信メッセージ処理のためにＩＭＳネットワーク３１へＧＳＭネットワーク３２のＧＳＭ加入者によって発信ショートメッセージをルーティングする適切な機構は存在しない。３ＧＰＰ  ＴＳ  ２３．２０４ｖ７．４．０［１］（「ジェネリック３ＧＰＰインターネットプロトコル（ＩＰ）アクセスにわたるショートメッセージサービス（ＳＭＳ）のサポート；ステージ２（Support  of  Short  Message  Service  (SMS)  over  generic  3GPP  Internet  Protocol  (IP)  access;  stage  2）」）は、ユーザ端末２０におけるＳＩＰクライアントとの間でどのようにしてＳＭＳを送信できるかを規定している。しかしながら、この仕様書は、マルチアクセス機能（ＭＡＦ）加入者によってＧＳＭ端末２０から送信されたショートメッセージの統合メッセージング処理の問題を解決するものではない。ＭＡＦ加入者は、本質的に、ＧＳＭ電話（図１のＧＳＭ端末３４）をアクセスに使用しているＩＭＳ加入者である。この人物のサービスはＩＭＳネットワーク３１において呼び出される。ＭＡＦ加入者はＳＩＰ電話（図１のＩＭＳ端末３３）も使用できる。すなわちＧＳＭ電話とＳＩＰ電話とを有することができる。
【００９５】
発信ＳＭＳのためのＩＭＳメッセージ処理に関する方法実施形態は以下個別に行われる。ＩＭＳコアネットワーク３１へショートメッセージを提出する各方法実施形態は、図３に示す原理に従う。この解決手段は、ＧＳＭネットワーク３２におけるＭＡＦ加入者によって生成されたショートメッセージ（すなわち図８のユーザ端末２０によって）をＩＭＳネットワーク３１へ（Ｐ−ＣＳＣＦ４を経由して）ＩＭＳメッセージの形式でルーティングする必要があることと共通である。ＩＭＳネットワーク３１において、ＩＭＳメッセージは、ＭＡＦ加入者がＩＭＳメッセージング加入者として登録されているＳ−ＣＳＣＦ５に到着することになる。Ｓ−ＣＳＣＦ５は、ＭＡＦ加入者のＩＭＳユーザプロファイルを発信ＩＭＳサービスの呼び出しに使用する。
【００９６】
実施形態代替は、ＩＭＳメッセージを発信Ｓ−ＣＳＣＦ５へルーティングするやり方が異なる。
【００９７】
第１実施形態代替は非ＣＡＭＥＬメッセージ転送に関する。ＭＡＦ加入者のＳＩＭカードまたはＧＳＭユーザ端末２０からのＳＭＳＣアドレスは、図８に概略的に示すように、メッセージをメッセージ相互作業ユニット（Ｍ−ＩＷＵ）２９へ転送し、そこからＰ−ＣＳＣＦ４へ転送するのに使用される。Ｍ−ＩＷＵ２９は、部分的に、ＳＭＳＣ機能を含む上述の実施形態におけるＩＭＧ２２と同一の機能を果たす（例えば図３を参照）。
【００９８】
Ｍ−ＩＷＵ２９は、ＭＳＣ２１からＭ−ＩＷＵ２９（ＳＭＳＣとして動作）へＳＭＳをルーティングするために使用されたＭＡＰ宛先アドレス（ＭＡＰ  ＭＯ−ＦｏｒｗａｒｄＳＭにおける）から、メッセージはＭＡＦ加入者２０から発信されたものであると認識する。Ｍ−ＩＷＵ２９は、ＳＩＰユーザエージェントクライアント（ＵＡＣ）のインスタントを作成し、ＭＡＦ加入者がＩＭＳネットワーク３１に登録された際にアドレスが受信されたＰ−ＣＳＣＦ４へＳＩＰメッセージを送信する。あるいは、Ｍ−ＩＷＵ２９はＩ−ＣＳＣＦ８へＳＩＰメッセージを送信し、その結果、Ｉ−ＣＳＣＦ８は、ＨＳＳ６から受信されたＳ−ＣＳＣＦ機能に基づいてＳ−ＣＳＣＦ５を割り当て、ＭＡＦ加入者の発信未登録サービスを処理する。Ｍ−ＩＷＵ２９がＩ−ＣＳＣＦ８（図８には図示せず）へＳＩＰメッセージを送信する場合、Ｉ−ＣＳＣＦ８は、ＳＩＰメッセージにおける「Ｏｒｉｇ」パラメータの存在から、終了メッセージ処理とは逆に、発信セッション処理を応用することとなると演繹する。「ｏｒｉｇ」パラメータは、Ｍ−ＩＷＵ２９によってＳＩＰメッセージに含まれる。ＳＩＰ  ＵＡＣインスタンスは、ＳＩＰメッセージ転送が完了するまで維持される。実際には、Ｍ−ＩＷＵ２９がＳＩＰ２００ＯＫまたは他の最終ＳＩＰ応答を受信したということである。
【００９９】
ＭＡＦ加入者２０は、そのホームＰＬＭＮ（ＨＰＬＭＮ）にあるか、または別のＰＬＭＮにローミングしているものとすることができる。Ｐ−ＣＳＣＦ４のアドレスは、ＭＳＣ２１からＭ−ＩＷＵ２９へのメッセージ転送に使用されるアドレスから導出される。厳密には、メッセージはｎ個のＭ−ＩＷＵ２９の１へ送信できる。各Ｍ−ＩＷＵ２９は、メッセージ転送のためにＳＩＰ  ＵＡＣのインスタンスを作成する機能を有する。ＭＡＦ加入者２０から発信されたＭＳＣ２１からのメッセージの受信に応じたＳＩＰメッセージの送信のためのＭ−ＩＷＵ２９における処理は加入者固有のものではない。
【０１００】
Ｍ−ＩＷＵ２９は、ＭＡＰ  ＭＯ−ＦｏｒｗａｒｄＳＭメッセージに含まれるＭＡＦ加入者のアドレスを使用して、ＳＩＰメッセージにｆｒｏｍ：フィールドを設定する。Ｍ−ＩＷＵ２０は、同様にＭＯ−ＦｏｒｗａｒｄＳＭメッセージに含まれる宛先加入者を使用して、ＳＩＰメッセージにｔｏ：フィールドを設定する。すると、Ｐ−ＣＳＣＦ４はｆｒｏｍ：フィールドを検証に使用して、ＳＩＰメッセージにＰ−アサート済Ｉｄを設定する。
【０１０１】
複数のＰ−ＣＳＣＦ４が使用される場合、それぞれのＭＡＦ加入者は、ＳＩＭカードでプロビジョンされた異なるＭ−ＩＷＵ２９アドレスを有する。Ｍ−ＩＷＵ２９は、ＭＳＣ２１からＭ−ＩＷＵ２９へＳＭＳをルーティングするために使用されたＭＡＰ宛先アドレスに基づいて、正しいＰ−ＣＳＣＦ４へＳＩＰメッセージを送信する。ＳＩＭカードでのＭ−ＩＷＵ２９アドレスは管理手段によってプロビジョンされる。
【０１０２】
今説明した方法実施形態に対するさらなる改善は、ＭＡＰ  ＭＯ−ＦｏｒｗａｒｄＳＭメッセージに位置情報を含めることである。ＭＳＣ２１は、上記ＭＡＰメッセージの引数にＭＡＦ加入者の現在位置が設置できるように改良できる。以下の、３ＧＰＰ  ＴＳ  ２９．００２ｖ７．８．０［２］（「モバイルアプリケーションパート」）セクション１７．７．６からの抜粋を参照。
mo-ForwardSM  OPERATION  ::={            --Timer  ml
ARGUMENT
MO-ForwardSM-Arg
RESULT
MO-ForwardSM-Res
--optional
ERRORS{
systemFailure|
unexpectedDataValue|
facilityNotSupported|
sm-DeliveryFailure}
CODE    local:46}
MO-ForwardSM-Arg  ::=SEQUENCE{
sm-RP-DA                      SM-RP-DA,
sm-RP-OA                      SM-RP-OA,
sm-RP-UI                      SignalInfo,
extensionContainer            ExtensionContainer    OPTIONAL,
...,
imsi                          IMSI                  OPTIONAL,
locationInformation          LocationInformation    OPTIONAL}
パラメータ「locationInformation」はＭＡＰオペレーションに追加される。LocationInformationデータタイプは、３ＧＰＰ  ＴＳ  ２９．００２［２］にすでに定められている。このパラメータをＭＡＰオペレーションに追加することで、Ｍ−ＩＷＵ２９はP-Access-Network-InfoヘッダをＳＩＰメッセージに設定できる。
【０１０３】
第２実施形態代替では、ＭＳＣ２１からＭ−ＩＷＵ２９へのメッセージの送信はＣＡＭＥＬサービス（直接ルーティングを有するＣＡＭＥＬフェース３）の制御下である。これについては図９に概略的に反映している。ＣＡＭＥＬサービスの発動（ＳＣＰ２７において実行される）は、ＭＳＣ２１におけるＭＯ−ＳＭＳ−ＣＳＩの存在に基づく。ＭＯ−ＳＭＳ−ＣＳＩは、ＭＳＣ２１における加入者登録の間（加入者２０はこのＭＳＣ２１に属する）にＨＬＲ２４から受信された。ＣＡＭＥＬサービスはＭ−ＩＷＵ２９へメッセージを送信させる。ＣＡＭＥＬサービスは、管理手段によって、どのＰ−ＣＳＣＦ４へメッセージが送信されるかを知っている。メッセージがＩ−ＣＳＣＦ８へ送信される場合（図９では反映せず）、ＣＡＭＥＬサービスは、ある特定のＩ−ＣＳＣＦ８へメッセージを送信する必要がない。Ｉ−ＣＳＣＦ８のグループのうちいずれも、ＨＬＲ２４に連絡して、どのＳ−ＣＳＣＦへＳＩＰメッセージを送信すべきかを判定できる。
【０１０４】
第３実施形態代替では、ＭＳＣ２１からＭ−ＩＷＵ２９へのメッセージの送信は、再びＣＡＭＥＬサービスの制御下であるが、メッセージインターセプトを有するＣＡＭＥＬフェース３を使用する。これについては図１０に概略的に示している。ＣＡＭＥＬサービス（ＳＣＰ２７で動作中）は、ＭＳＣ２１に命令して、ＩＭＳネットワーク３１へメッセージを送信させる。ＩＭＳネットワーク３１内では、メッセージは、ここではＩＭＳメッセージの形式であるが、ＣＡＭＥＬサービスプラットフォーム（すなわち図１０ではＳＣＰ２７）へ送信される。ＣＡＭＥＬサービスプラットフォーム（ＳＣＰ２７）へのＩＭＳメッセージの送信は、ワイルドカードパブリックサービスＩＤ（ＰＳＩ）を使用して行われる。ＣＡＭＥＬサービスによって提供される情報は以下となる。
ＳＭＳＣアドレス＝Ｍ−ＩＷＵ２９のアドレス
宛先加入者ナンバ＝ワイルドカードＰＳＩ
したがって：
ワイルドカードＰＳＩ＝＜ＰＳＩ＞＋＜相関識別子＞
Ｍ−ＩＷＵ２９は、ＳＭＳの宛先加入者を使用して、ＳＩＰメッセージにｔｏ：フィールドを設定する。ＣＡＭＥＬサービスは、ここではＳＩＰアプリケーションサーバとして動作しており、ＩＭＳネットワーク３１へのメッセージを生成する。
【０１０５】
ＣＡＭＥＬサービスはＳＭＳ宛先として相関識別子を使用する。ＣＡＭＥＬサービスによって使用されるＳＭＳＣアドレスは、Ｍ−ＩＷＵ２９に関連したルーティングアドレスである。Ｍ−ＩＷＵ２９はショートメッセージを受信すると通常の行動をとる。つまり、ＳＭＳをＳＩＰメッセージへ変換して、ＳＩＰメッセージをＩＭＳネットワーク３１におけるＩ−ＣＳＣＦ８へ送信する。Ｉ−ＣＳＣＦ８は、ＳＩＰ要求（ＳＩＰメッセージ）の宛先アドレスを（ワイルドカード）ＰＳＩとして認識する。ゆえに、Ｉ−ＣＳＣＦ８は、このＰＳＩに関連したＳＩＰアプリケーションサーバへＳＩＰメッセージをルーティングする。一代替実施形態では、Ｉ−ＣＳＣＦはＨＳＳからＳＩＰアプリケーションサーバのアドレスを受信する。別の実施形態では、Ｉ−ＣＳＣＦは、ＨＳＳからＳ−ＣＳＣＦのアドレスを受信し、そのＳ−ＣＳＣＦへＳＩＰ要求を転送し、このＳ−ＣＳＣＦがＳＩＰアプリケーションサーバへ転送する。ＣＡＭＥＬサービスによって割り当てられ、ＭＳＣ２１へ宛先加入者の形式で提供されるＰＳＩは、実際、ＳＩＰ−ＡＳとして動作しているこのＳＣＰ２７に関連したＰＳＩである。
【０１０６】
ＳＩＰ−ＡＳとして動作しているＳＣＰ２７がＳＩＰメッセージを受信すると、以下の行動をとる。
１．着信ＳＩＰメッセージを、ＣＡＭＥＬ初期ＤＰ  ＳＭＳ（ＩＤＰ−ＳＭＳ）オペレーションを受信した際に開始したＣＡＭＥＬサービスと相関させる。ＣＡＭＥＬサービスによって割り当てられたＰＳＩは「ワイルドカードＰＳＩ」である。ワイルドカードＰＳＩはサービスを識別し、また残りのアドレス桁の番号も含む。これらの残りのアドレス桁は上記相関に使用される。
２．ＳＩＰメッセージを構成する。ＳＩＰメッセージは、とりわけ、ＭＡＦ加入者のＰ−アサート済ＩＤ、ｔｏ：フィールド（ＭＡＦ加入者によるオリジナルメッセージ提出の宛先アドレスを含む）、P-Access-Network-Infoで搬送されるＭＡＦ加入者の位置情報を含む。ＳＩＰメッセージはＯｒｉｇパラメータを含む。
３．ＳＩＰメッセージをＳ−ＣＳＣＦ５へ送信する。ＳＣＰ２７は、ＳＩＰ−ＡＳとして動作しており、第三者登録を通じて、ＭＡＦ加入者が登録されているＳ−ＣＳＣＦ５を認識できる。ＭＡＦ加入者がＩＭＳネットワーク３１に登録されている場合、第三者ＩＭＳ登録は、ＨＳＳ６からＳ−ＣＳＣＦ５によって受信された初期フィルタ基準に基づいてＳＩＰ−ＡＳ７へルーティングされた。ＳＩＰメッセージは、Ｓ−ＣＳＦ５に到着する前にＩ−ＣＳＣＦまたはＰ−ＣＳＣＦを通過できる。
【０１０７】
Ｓ−ＣＳＣＦ５へのＳＩＰメッセージの送信は、Ｓ−ＣＳＣＦ５が発信ＩＭＳサービスを呼び出すのに加入者のユーザプロファイルを使用するという効果を有する。ここで説明した方法の効果は、ＳＩＰメッセージが位置情報などの追加的ＧＳＭアクセス関連情報で増大できるということである。
【０１０８】
第４実施形態代替では、ＳＩＰシグナリング機能を備えたＭＳＣ２１の使用が行われる。ゆえに、ＭＳＣ２１は、ＳＩＰメッセージを生成し、ＩＭＳネットワーク３１へ送信できる。これについては図１１に概略的に示している。ＭＳＣ２１とＨＬＲ２４との間の位置更新手続中、ＨＬＲ２４は、この加入者について、ＭＳＣ２１がＩＭＳメッセージ交信にＳＭＳを応用することになるとＭＳＣに示した。ＭＡＦ加入者２０がＳＭＳを提出すると、ＭＳＣ２１は、以前ＨＬＲ２４によって命令されたようにＩＭＳメッセージ交信にＳＭＳを応用する。そしてＭＳＣ２１ＳＩＰユーザエージェントクライアント（ＵＡＣ）のインスタントを内的に作成し、ＳＩＰ  ＵＡＣへＩＭＳメッセージを送信する。ＳＩＰ  ＵＡＣ（ＭＳＣ２１の一部）はＰ−ＣＳＣＦ４へＳＩＰメッセージを送信する。実際、ＭＳＣ２１が直接Ｐ−ＣＳＣＦ４へＳＩＰメッセージを送信する概念は、ＭＳＣ開始ＩＭＳ登録と最適に組み合わせられる。ＭＡＦ加入者がＭＳＣ２１に（ＧＳＭ加入者として）登録すると、ＭＳＣ２１は加入者に対するＩＭＳ登録を行う。ＭＳＣ２１はＨＬＲ２４からの命令のもとでＩＭＳ登録を行う。ＭＳＣ２１によるＩＭＳ登録によって、ＭＳＣ２１はこの加入者のＰ−ＣＳＣＦ４アドレスを受信することになる。ゆえに、加入者がＳＭＳを提出した結果、ＭＳＣ２１がＳＩＰメッセージを送信する必要である場合、ＭＳＣ２１は、ＳＩＰメッセージの送信に使用可能なＰ−ＣＳＣＦ４アドレスを有する。ＭＳＣ２１は、P-Access-Network-Infoに加入者の現在位置情報を含むことができる。
【０１０９】
上述の４つの実施形態代替のいずれにおいても、ＭＡＦ加入者２０がＳＭＳを送信すると、ＳＭＳはＩＭＳネットワーク３１へルーティングされ、課金を含むＩＭＳメッセージングサービスは加入者に対して呼び出すことができる。マルチアクセス機能（ＭＡＦ）加入者によって送信されたショートメッセージは、ＩＭＳメッセージの形式でＩＭＳネットワーク３１を通してルーティングされる。ＩＭＳネットワーク３１への発信メッセ時のルーティングは、これらの発信メッセージに対するＩＭＳサービスを呼び出すために行われる。ＩＭＳネットワーク３１は予定宛先へメッセージを送信する。このようにして、ＭＡＦ加入者は、メッセージが加入者のＧＳＭ電話３４から送信されるにしても、ＩＭＳメッセージング可能ＳＩＰクライアント３３を通して送信されるにしても、発信メッセージ提出の一貫したサービスを受信できる。どちらの場合でもメッセージ処理は純粋にＩＭＳベースとなる。
【図１】
2011526431.tif 000005
【図２】
2011526431.tif 000006
【図３】
2011526431.tif 000007
【図４】
2011526431.tif 000008
【図５】
2011526431.tif 000009
【図６】
2011526431.tif 000010
【図７】
2011526431.tif 000011
【図８】
2011526431.tif 000012
【図９】
2011526431.tif 000013
【図１０】
2011526431.tif 000014
【図１１】
2011526431.tif 000015
【国際調査報告】
2011526431.tif 000016
2011526431.tif 000017